(57)【要約】【課題】信号線を共用させると共に、像の検知に応じて動作比率を切り替える。【解決手段】データ表示／センサ装置１００は、各表示／光センサ部３００の各部を制御する回路制御部６００と、回路制御部６００と複数の表示／光センサ部３００とに接続されたバス４００とを備える。回路制御部６００は、各液晶パネル駆動回路３０４がデータ信号（Ｄ）を取得する取得タイミングと、各信号変換回路３０６がデジタル信号（ＤＳ）を休止モードの期間に出力する出力タイミングとを所定のタイミングで順次切り替えて、バス４００を共用させるバス制御部６０５を備え、バス制御部６０５は、特定の表示／光センサ部３００に配設されたセンサ内蔵液晶パネル３０１が像を検知した場合、この表示／光センサ部３００に配設された液晶パネル駆動回路３０４における取得タイミングの切り替え動作を、上記所定のタイミングでの切り替え動作よりも速くする。【選択図】図１
2010108303.tif 000002
【特許請求の範囲】
【請求項１】
表示動作を行う動作モードと当該表示動作を休止する休止モードとを有する表示部と、近傍の像を検知する像検知部とが配設された面状部材を複数備えた像検知／表示装置であって、
各表示部における表示動作と各像検知部における像の検知動作とを制御する動作制御部と、
上記動作制御部と複数の面状部材とに接続された信号線と、を備え、
上記動作制御部は、
各表示部が動作モードの期間に新たな表示動作を行うための表示画像データを取得する取得タイミングと、各像検知部が検知した像を示す像検知データを休止モードの期間に出力する出力タイミングとを所定のタイミングで順次切り替えて、上記信号線を共用させるタイミング制御部を備え、
上記タイミング制御部は、上記複数の面状部材のうち、特定の面状部材に配設された像検知部が像を検知した場合、当該特定の面状部材に配設された表示部における上記取得タイミングの切り替え動作を、上記所定のタイミングでの切り替え動作よりも速くすることを特徴とする像検知／表示装置。
【請求項２】
上記タイミング制御部は、上記特定の面状部材に配設された像検知部が像を検知した場合、上記特定の面状部材以外の他の面状部材に配設された表示部における上記取得タイミングの切り替え動作を、上記所定のタイミングでの切り替え動作よりも遅くすることを特徴とする請求項１に記載の像検知／表示装置。
【請求項３】
上記タイミング制御部は、上記取得タイミングと上記出力タイミングとを順次切り替えるための切替信号を、上記複数の面状部材における各表示部および各像検知部に順次出力することを特徴とする請求項１または２に記載の像検知／表示装置。
【請求項４】
上記動作制御部は、
上記各表示部が取得する表示画像データを出力すると共に、上記各像検知部が出力する像検知データを取得するものであり、
上記タイミング制御部から出力された、上記動作制御部における上記表示画像データの出力タイミングおよび上記像検知データの取得タイミングを制御する制御信号に応じて、上記信号線に対して入出力される上記表示画像データおよび上記像検知データの切り替えを行う信号線切替部をさらに備えたことを特徴とする請求項１から３の何れか１項に記載の像検知／表示装置。
【請求項５】
上記タイミング制御部は、上記切替信号に応じて上記制御信号を出力することを特徴とする請求項４に記載の像検知／表示装置。
【発明の詳細な説明】
【技術分野】
【０００１】
本発明は、像検知部における像の検知に応じて、表示部での動作比率を切り替えることが可能な像検知／表示装置に関するものである。
【背景技術】
【０００２】
上記マトリクス型の表示素子に対し行方向および列方向に多数の信号線を配備し、該信号線を駆動することにより、表示素子に文字、記号、図形などの画像を表示させる表示装置が存在する。上記マトリクス型の表示素子としては、ＬＣＤ（Liquid Crystal Display）、ＰＤＰ（Plasma Display Panel）、ＥＬ（Electroluminescence）ディスプレイ、ＦＥＤ（Field Emission Display）などのＦＰＤ（Flat Panel Display）が利用されている。ＦＰＤは、従来のＣＲＴ（Cathode Ray Tube）よりも薄型化かつ軽量化が可能であることから、近時、様々な表示装置に利用されている。
【０００３】
一般に、表示装置は、表示モジュールと表示コントローラとを備えている。上記表示モジュールは、上記マトリクス型の表示素子と、該表示素子を駆動する駆動回路とを備えるものである。一方、表示コントローラは、表示モジュールに対し、表示データと、上記表示素子を駆動するための各種制御信号とを送信するものである。
【０００４】
従来の表示装置は、１フレームごとに表示動作を行う連続駆動方式であった。このため、表示コントローラは、１フレームごとに、メモリから表示データを読み出して表示モジュールに転送すると共に、各種制御信号を表示モジュールに送信する必要があり、表示装置の消費電力が大きい要因となっていた。
【０００５】
そこで、表示動作の休止が可能な、いわゆる間欠駆動方式の表示装置が開発されており、例えば特許文献１〜４に記載されている。
【特許文献１】特開２００１−０６００７９号公報（２００１年３月６日公開）
【特許文献２】特開平１１−３３８４２５号公報（１９９９年１２月１０日公開）
【特許文献３】特開２００１−３１２２５３号公報（２００１年１１月９日公開）
【特許文献４】特開２００２−１２３２３４号公報（２００２年４月２６日公開）
【特許文献５】特開平０３−１７２９１１号公報（１９９１年７月２６日公開）
【特許文献６】特開平０８−２２３０１１号公報（１９９６年８月３０日公開）
【特許文献７】特開平０９−２９２５９８号公報（１９９７年１１月１１日公開）
【発明の開示】
【発明が解決しようとする課題】
【０００６】
ところで、近年、表示システムは、上記表示装置としての表示モジュールと表示コントローラとに加え、他の装置を備えるものが存在する。該他の装置の一例としては、表示モジュールと一体に設けられ、近傍の像を検知することが可能な光センサおよび光センサを制御する光センサコントローラが挙げられる。また、上記表示システムでは、上記の他の装置間で、信号の送受信を行う場合がしばしばある。なお、以下では、上記光センサを備えた表示システムを像検知／表示装置と称する。
【０００７】
ここで、従来、特許文献１に記載のマトリクス型表示装置では、上記他の装置として、入力用タッチセンサおよびタッチセンサコントローラを備えているが、入力用タッチセンサとタッチセンサコントローラとの間での通信を行うための信号線は、表示コントローラが表示モジュールを制御するための信号線と独立して設けられている。
【０００８】
このため、特許文献１に記載のマトリクス型表示装置では、上記表示モジュールと表示コントローラとに加え、他の装置を備えた像検知／表示装置の実現に際して、信号線の本数が増加してしまうという問題が発生する。
【０００９】
通常、入力用タッチセンサおよび表示モジュールに接続される信号線は数十本と多い。また、上記マトリクス型表示装置は、入力用タッチセンサを制御するために、表示コントローラの他にタッチセンサコントローラを備えている。つまり、上記マトリクス型表示装置では、入力用タッチセンサおよび表示モジュールの数だけコントローラが必要となる。
【００１０】
このため、上記マトリクス型表示装置は、タッチセンサコントローラを備えた分だけコストアップになると共に、信号線も数十本増加するので、タッチセンサコントローラの配置を考慮する必要がある（すなわち部品配置に制限がかかる）といった問題が発生する。
【００１１】
特に、上記像検知／表示装置が、表示モジュールおよび光センサを複数備えるような場合には、その分だけ表示コントローラおよび光センサコントローラを備えることとなる。このため、複数の表示モジュールおよび光センサを備えた像検知／表示装置では、コストの問題および部品配置の問題が顕著となる。
【００１２】
また、特許文献５には、液晶表示装置からキーマトリクスへの入力経路と出力回路からキーマトリクスへの入力経路とで、同じ信号線が用いられた入力／出力装置が開示されている。しかしながら、特許文献５に記載の入力／出力装置では、液晶表示装置からの信号と出力回路からの信号とが重畳されて、キーマトリクスに入力されることになるため、１本の信号線により２系統の通信（すなわち、表示コントローラからの各種信号の送信、および、他の装置間での信号の送信）を行うことができない。
【００１３】
また、上記入力／出力装置が、たとえ２系統（複数の系統）の通信を１本の信号線（信号線を共用すること）により行うことが可能な信号線制御部を備えた場合であっても、複数の液晶装置（表示モジュール）およびキーマトリクス（光センサ）を備えた場合には、表示モジュールで行われるリフレッシュ動作の回数が少なくなるため、表示モジュールに表示される画像の更新頻度が低下してしまうという問題が発生する。
【００１４】
本発明は、上記の問題点に鑑みてなされたものであり、その目的は、信号線を共用させると共に、像の検知に応じて動作比率を切り替えることが可能な像検知／表示装置を提供することにある。
【課題を解決するための手段】
【００１５】
本発明に係る像検知／表示装置は、上記の問題点を解決するために、表示動作を行う動作モードと当該表示動作を休止する休止モードとを有する表示部と、近傍の像を検知する像検知部とが配設された面状部材を複数備えた像検知／表示装置であって、各表示部における表示動作と各像検知部における像の検知動作とを制御する動作制御部と、上記動作制御部と複数の面状部材とに接続された信号線と、を備え、上記動作制御部は、各表示部が動作モードの期間に新たな表示動作を行うための表示画像データを取得する取得タイミングと、各像検知部が検知した像を示す像検知データを休止モードの期間に出力する出力タイミングとを所定のタイミングで順次切り替えて、上記信号線を共用させるタイミング制御部を備え、上記タイミング制御部は、上記複数の面状部材のうち、特定の面状部材に配設された像検知部が像を検知した場合、当該特定の面状部材に配設された表示部における上記取得タイミングの切り替え動作を、上記所定のタイミングでの切り替え動作よりも速くすることを特徴としている。
【００１６】
上記構成によれば、像検知／表示装置では、動作制御部が表示部における表示画像データの取得タイミングと像検知部における像検知データの出力タイミングと制御するので、これらデータの入出力に対して信号線を共用することができる。
【００１７】
従って、像検知／表示装置では、信号線を共用することにより複数系統の通信を行うことができる。このため、像検知／表示装置では、複数の信号線を配線のための面積を削減することができる。
【００１８】
また、動作制御部は、像検知部が像を検知した場合に、当該像検知部が配設された面状部材の表示部における取得タイミングの切り替え動作を、所定のタイミングでの切り替え動作よりも速くする。
【００１９】
このため、像を検知した像検知部が配設された面状部材の表示部におけるリフレッシュ動作の頻度を高めることができるので、動作モードと休止モードとを有する表示部であっても、像検知部の操作性を損なうことがないという効果を奏する。
【００２０】
さらに、本発明に係る像検知／表示装置は、上記タイミング制御部は、上記特定の面状部材に配設された像検知部が像を検知した場合、上記特定の面状部材以外の他の面状部材に配設された表示部における上記取得タイミングの切り替え動作を、上記所定のタイミングでの切り替え動作よりも遅くしてもよい。
【００２１】
上記構成によれば、動作制御部は、像検知部が像を検知した場合に、当該像検知部を配設していない面状部材の表示部における表示画像データの取得タイミングの切り替え動作を遅くする。このため、他の面状部材の表示部におけるリフレッシュ動作の頻度を少なくすることができる。これにより、像検知／表示装置では、他の面状部材における表示部の消費電力を低減させることができる。
【００２２】
さらに、本発明に係る像検知／表示装置は、上記タイミング制御部は、上記取得タイミングと上記出力タイミングとを順次切り替えるための切替信号を、上記複数の面状部材における各表示部および各像検知部に順次出力してもよい。
【００２３】
上記構成によれば、像検知／表示装置では、タイミング制御部が切替信号を複数の面状部材に順次出力するので、各表示部における取得タイミングと各像検知部における出力タイミングとを適切に切り替えることができる。
【００２４】
さらに、本発明に係る像検知／表示装置は、上記動作制御部は、上記各表示部が取得する表示画像データを出力すると共に、上記各像検知部が出力する像検知データを取得するものであり、上記タイミング制御部から出力された、上記動作制御部における上記表示画像データの出力タイミングおよび上記像検知データの取得タイミングを制御する制御信号に応じて、上記信号線に対して入出力される上記表示画像データおよび上記像検知データの切り替えを行う信号線切替部をさらに備えていてもよい。
【００２５】
上記構成によれば、動作制御部は、信号線を介して、各表示部に表示画像データを出力すると共に、各像検知部からの像検知データを取得する。信号線切替部は、上記表示画像データおよび上記像検知データの信号線に対する入出力を、タイミング制御部から出力された制御信号に応じて切り替える。
【００２６】
このため、像検知／表示装置では、動作制御部における表示画像データの取得および像検知データの出力を適切に制御することができる。
【００２７】
さらに、本発明に係る像検知／表示装置は、上記タイミング制御部は、上記切替信号に応じて上記制御信号を出力してもよい。
【００２８】
上記構成によれば、像検知／表示装置では、制御信号が、表示部および像検知部に出力される切替信号に応じて出力されるので、複数の面状部材および動作制御部に信号線を共用させることができる。
【発明の効果】
【００２９】
以上のように、本発明に係る像検知／表示装置は、各表示部における表示動作と各像検知部における像の検知動作とを制御する動作制御部と、上記動作制御部と複数の面状部材との間に接続された信号線と、を備え、上記動作制御部は、各表示部が動作モードの期間に新たな表示動作を行うための表示画像データを取得する取得タイミングと、各像検知部が検知した像を示す像検知データを休止モードの期間に出力する出力タイミングとを所定のタイミングで順次切り替えて、上記信号線を共用させるタイミング制御部を備え、上記タイミング制御部は、上記複数の面状部材のうち、特定の面状部材に配設された像検知部が像を検知した場合、当該特定の面状部材に配設された表示部における上記取得タイミングの切り替えを、上記所定のタイミングでの切り替えよりも速くすることを特徴としている。
【００３０】
それゆえ、像検知／表示装置では、信号線を共用することにより複数系統の通信を行うことができるので、複数の信号線を配線のための面積を削減することができるという効果を奏する。
【００３１】
また、像検知／表示装置では、像を検知した像検知部が配設された面状部材の表示部におけるリフレッシュ動作の頻度を高めることができるので、動作モードと休止モードとを有する表示部であっても、像検知部の操作性を損なうことがないという効果を奏する。
【発明を実施するための最良の形態】
【００３２】
本発明の一実施形態について図１から図１３に基づいて説明すると以下の通りである。
【００３３】
まず、以下で、上記データ表示／センサ装置（像検知／表示装置）１００が備えるセンサ内蔵液晶パネル（表示部、像検知部）３０１の概要について説明する。
【００３４】
（センサ内蔵液晶パネルの概要）
上記データ表示／センサ装置１００が備えるセンサ内蔵液晶パネル３０１は、データの表示に加え、対象物の画像検出が可能な液晶パネルである。ここで、対象物の画像検出とは、例えば、ユーザが指やペンなどでポインティング（タッチ）した位置の検出や、印刷物等の画像の読み取り（スキャン）である。なお、表示に用いるデバイスは、液晶パネルに限定されるものではなく、有機ＥＬ（Electro Luminescence）パネルなどであってもよい。
【００３５】
図２を参照しながら、センサ内蔵液晶パネル３０１の構造について説明する。図２は、センサ内蔵液晶パネル３０１の断面を模式的に示す図である。なお、ここで説明するセンサ内蔵液晶パネル３０１は一例であり、表示面と読取面とが共用されているものであれば、任意の構造のものが利用できる。
【００３６】
図示のとおり、センサ内蔵液晶パネル３０１は、背面側に配置されるアクティブマトリクス基板５１Ａと、表面側に配置される対向基板５１Ｂとを備え、これら基板の間に液晶層５２を挟持した構造を有している。アクティブマトリクス基板５１Ａには、画素電極５６、データ信号線５７、光センサ回路３２（図示せず）、配向膜５８、偏光板５９などが設けられる。対向基板５１Ｂには、カラーフィルタ５３ｒ（赤）、５３ｇ（緑）、５３ｂ（青）、遮光膜５４、対向電極５５、配向膜５８、偏光板５９などが設けられる。また、センサ内蔵液晶パネル３０１の背面には、バックライト３０７が設けられている。
【００３７】
なお、光センサ回路３２に含まれるフォトダイオード６は、青のカラーフィルタ５３ｂを設けた画素電極５６の近傍に設けられているが、この構成に限定されるものではない。赤のカラーフィルタ５３ｒを設けた画素電極５６の近傍に設けてもよいし、緑のカラーフィルタ５３ｇを設けた画素電極５６の近傍に設けてもよい。
【００３８】
次に、図３（ａ）および図３（ｂ）を参照しながら、ユーザが、指やペンで、センサ内蔵液晶パネル３０１上をタッチした位置を検出する２種類の方法について説明する。
【００３９】
図３（ａ）は、反射像を検知することにより、ユーザがタッチした位置を検出する様子を示す模式図である。バックライト３０７から光６３が出射されると、フォトダイオード６を含む光センサ回路３２は、指などの対象物６４により反射された光６３を検知する。これにより、対象物６４の反射像を検知することができる。このように、センサ内蔵液晶パネル３０１は、反射像を検知することにより、タッチした位置を検出することができる。
【００４０】
また、図３（ｂ）は、影像を検知することにより、ユーザがタッチした位置を検出する様子を示す模式図である。図３（ｂ）に示すように、フォトダイオード６を含む光センサ回路３２は、対向基板５１Ｂなどを透過した外光６１を検知する。しかしながら、ペンなどの対象物６２がある場合は、外光６１の入射が妨げられるので、光センサ回路３２が検知する光量が減る。これにより、対象物６２の影像を検知することができる。このように、センサ内蔵液晶パネル３０１は、影像を検知することにより、タッチした位置を検出することもできる。
【００４１】
上述のように、フォトダイオード６は、バックライト３０７より出射された光の反射光（影像）を検知してもよいし、外光による影像を検知してもよい。また、上記２種類の検知方法を併用して、影像と反射像とを両方を同時に検知するようにしてもよい。
【００４２】
（データ表示／センサ装置の要部構成）
次に、図４を参照しながら、上記データ表示／センサ装置１００の要部構成について説明する。図４は、データ表示／センサ装置１００の要部構成を示すブロック図である。図示のように、データ表示／センサ装置１００は、１または複数の表示／光センサ部（面状部材）３００、回路制御部（動作制御部）６００、データ処理部７００、主制御部８００、記憶部９０１、一次記憶部９０２、操作部９０３、外部通信部９０７、音声出力部９０８、および音声入力部９０９を備えている。ここでは、データ表示／センサ装置１００は、表示／光センサ部３００を２つ（第１表示／光センサ部３００Ａおよび第２表示／光センサ部３００Ｂ）備えているものとして説明する。なお、第１表示／光センサ部３００Ａおよび第２表示／光センサ部３００Ｂを区別しないときは、表示／光センサ部３００と表記する。
【００４３】
表示／光センサ部３００は、いわゆる光センサ内蔵液晶表示装置である。表示／光センサ部３００は、センサ内蔵液晶パネル３０１、バックライト３０７、それらを駆動するための周辺回路３０９を含んで構成される。
【００４４】
センサ内蔵液晶パネル３０１は、マトリクス状に配置された複数の画素回路３１および光センサ回路３２を含んで構成される。センサ内蔵液晶パネル３０１の詳細な構成については後述する。
【００４５】
周辺回路３０９は、液晶パネル駆動回路（表示部）３０４、光センサ駆動回路（像検知部）３０５、信号変換回路（像検知部）３０６、バックライト駆動回路３０８を含む。
【００４６】
液晶パネル駆動回路３０４は、回路制御部６００の表示制御部６０１からのタイミング制御信号（ＴＣ１）およびデータ信号（Ｄ）（表示画像データ）に従って、制御信号（Ｇ）およびデータ信号（Ｓ）を出力し、画素回路３１を駆動する回路である。画素回路３１の駆動方法の詳細については後述する。
【００４７】
光センサ駆動回路３０５は、回路制御部６００のセンサ制御部６０２からのタイミング制御信号（ＴＣ２）に従って、信号線（Ｒ）に電圧を印加し、光センサ回路３２を駆動する回路である。光センサ回路３２の駆動方法の詳細については後述する。
【００４８】
信号変換回路３０６は、光センサ回路３２から出力されるセンサ出力信号（ＳＳ）をデジタル信号（ＤＳ）（像検知データ）に変換し、該変換後の信号をセンサ制御部６０２に送信する回路である。
【００４９】
バックライト３０７は、複数の白色ＬＥＤ（Light Emitting Diode）を含んでおり、センサ内蔵液晶パネル３０１の背面に配置される。そして、バックライト駆動回路３０８から電源電圧が印加されると、バックライト３０７は点灯し、センサ内蔵液晶パネル３０１に光を照射する。なお、バックライト３０７は、白色ＬＥＤに限らず、他の色のＬＥＤを含んでいてもよい。また、バックライト３０７は、ＬＥＤに代えて、例えば、冷陰極管（ＣＣＦＬ：Cold Cathode Fluorescent Lamp）を含むものであってもよい。
【００５０】
バックライト駆動回路３０８は、回路制御部６００のバックライト制御部６０３からの制御信号（ＢＫ）がハイレベルであるときは、バックライト３０７に電源電圧を印加し、逆に、バックライト制御部６０３からの制御信号がローレベルであるときは、バックライト３０７に電源電圧を印加しない。
【００５１】
また、表示／光センサ部３００と回路制御部６００とには、データ信号（Ｄ）とデジタル信号（ＤＳ）との入出力のために、バス（信号線）４００が接続されている。バス４００には、第１表示／光センサ部３００Ａに出力されるデータ信号（Ｄ）と、第２表示／光センサ部３００Ｂに出力されるデータ信号（Ｄ）と、第１表示／光センサ部３００Ａによって出力されるデジタル信号（ＤＳ）と、第２表示／光センサ部３００Ｂによって出力されるデジタル信号（ＤＳ）とが所定の順序に従って供給される。すなわち、バス４００は、データ信号（Ｄ）またはデジタル信号（ＤＳ）の入出力のために、第１表示／光センサ部３００Ａまたは第２表示／光センサ部３００Ｂと回路制御部６００との間で共用されるものである。
【００５２】
このため、第１表示／光センサ部３００Ａおよび第２表示／光センサ部３００Ｂと回路制御部６００とがバス４００を共用して信号の入出力を行うことが可能なように、周辺回路３０９の各部は、画素回路３１、光センサ回路３２およびバックライト３０７を制御するための、ＬＣＤセレクト信号（切替信号）またはセンサセレクト信号（切替信号）を、回路制御部６００から受信する。
【００５３】
なお、本発明に係るデータ表示／センサ装置１００は、表示動作を行う動作モードとを有する（すなわち間欠駆動される）表示部（液晶パネル駆動回路３０４およびセンサ内蔵液晶パネル３０１）と、近傍の像を検知する像検知部（光センサ駆動回路３０５、信号変換回路３０６およびセンサ内蔵液晶パネル３０１）とが配設されたの表示／光センサ部３００を複数備えた構成である。
【００５４】
ここで、動作モードとは、液晶パネル駆動回路３０４がバス４００を介して供給されるデータ信号（Ｄ）を取得して、センサ内蔵液晶パネル３０１に新たな画像に切り替える（リフレッシュする）期間を指す。一方、休止モードとは、上記データ信号（Ｄ）を取得せず（無視して）センサ内蔵液晶パネル３０１の画像をリフレッシュしない期間を指す。
【００５５】
次に、回路制御部６００について説明する。回路制御部６００は、表示／光センサ部３００の周辺回路３０９を制御するデバイスドライバとしての機能を備えるものである。回路制御部６００は、表示制御部６０１、センサ制御部６０２、バックライト制御部６０３、および表示データ記憶部６０４を備えている。
【００５６】
表示制御部６０１は、データ処理部７００の表示データ処理部７０１から表示データを受信するとともに、表示データ処理部７０１からの指示に従って、表示／光センサ部３００の液晶パネル駆動回路３０４に、タイミング制御信号（ＴＣ１）およびデータ信号（Ｄ）を送信し、上記受信した表示データをセンサ内蔵液晶パネル３０１に表示させる。
【００５７】
なお、表示制御部６０１は、表示データ処理部７０１から受信した表示データを、表示データ記憶部６０４に一次記憶させる。そして、当該一次記憶させた表示データに基づいて、データ信号（Ｄ）を生成する。表示データ記憶部６０４は、例えば、ＶＲＡＭ（video random access memory）などである。
【００５８】
センサ制御部６０２は、データ処理部７００のセンサデータ処理部７０３からの指示に従って、表示／光センサ部３００の光センサ駆動回路３０５に、タイミング制御信号（ＴＣ２）を送信し、センサ内蔵液晶パネル３０１にてスキャンを実行させる。
【００５９】
また、センサ制御部６０２は、信号変換回路３０６からデジタル信号（ＤＳ）を受信する。そして、センサ内蔵液晶パネル３０１に含まれる全ての光センサ回路３２から出力されたセンサ出力信号（ＳＳ）に対応するデジタル信号（ＤＳ）に基づいて、画像データを生成する。つまり、センサ内蔵液晶パネル３０１の読み取り領域全体で読み取った画像データを生成する。そして、該生成した画像データをセンサデータ処理部７０３に送信する。
【００６０】
バックライト制御部６０３は、表示データ処理部７０１およびセンサデータ処理部７０３からの指示に従って、表示／光センサ部３００のバックライト駆動回路３０８に制御信号（ＢＫ）を送信し、バックライト３０７を駆動させる。
【００６１】
なお、データ表示／センサ装置１００が、複数の表示／光センサ部３００を備える場合、表示制御部６０１は、データ処理部７００から、どの表示／光センサ部３００にて表示データを表示するかの指示を受けたとき、当該指示に応じた表示／光センサ部３００の液晶パネル駆動回路３０４を制御する。また、センサ制御部６０２は、データ処理部７００から、どの表示／光センサ部３００にて対象物のスキャンを行うかの指示を受けたとき、当該指示に応じた表示／光センサ部３００の光センサ駆動回路３０５を制御するとともに、当該指示に応じた表示／光センサ部３００の信号変換回路３０６からデジタル信号（ＤＳ）を受信する。
【００６２】
さらに、回路制御部６００は、第１表示／光センサ部３００Ａおよび第２表示／光センサ部３００Ｂと回路制御部６００とがバス４００を共用して信号の入出力を行うことを可能とするために、バス制御部（タイミング制御部）６０５およびバス切替部（信号線切替部）６０６を備えている。
【００６３】
なお、回路制御部６００は、各液晶パネル駆動回路３０４が取得するデータ信号（Ｄ）を出力すると共に、各信号変換回路３０６が出力するデジタル信号（ＤＳ）を取得するものである。
【００６４】
バス制御部６０５は、主制御部８００から出力されるタイミング指示信号に基づいて、表示制御部６０１、センサ制御部６０２およびバス切替部６０６に各種制御信号を出力すると共に、第１表示／光センサ部３００Ａまたは第２表示／光センサ部３００Ｂに各種セレクト信号を出力するものである。
【００６５】
すなわち、バス制御部６０５は、各センサ内蔵液晶パネル３０１が動作モードの期間に新たな表示動作を行うためのデータ信号（Ｄ）を、各液晶パネル駆動回路３０４が取得する取得タイミングと、各センサ内蔵液晶パネル３０１が検知した像を示すデジタル信号（ＤＳ）を、休止モードの期間に各信号変換回路３０６が出力する出力タイミングとを所定のタイミングで順次切り替えて、上記信号線を共用させるものである。
【００６６】
また、バス制御部６０５は、上記取得タイミングと上記出力タイミングとを順次切り替えるための各種セレクト信号を、複数の表示／光センサ部３００における各液晶パネル駆動回路３０４、各光センサ駆動回路３０５および各信号変換回路３０６に順次出力するものである。
【００６７】
バス切替部６０６は、バス制御部６０５から制御信号に基づいて、バス４００を介して入出力される信号の切り替えを行うものである。つまり、バス切替部６０６は、上記制御信号に基づいて、所定のタイミングで、データ信号（Ｄ）またはデジタル信号（ＤＳ）の選択を行うものである。
【００６８】
すなわち、バス切替部６０６は、バス制御部６０５から出力された、回路制御部６００におけるデータ信号（Ｄ）の出力タイミングおよびデジタル信号（ＤＳ）の取得タイミングを制御する制御信号に応じて、上記信号線に対して入出力されるデータ信号（Ｄ）およびデジタル信号（ＤＳ）の切り替えを行うものである。
【００６９】
なお、バス制御部６０５およびバス切替部６０６が出力する制御信号およびセレクト信号については後述する。
【００７０】
次に、データ処理部７００について説明する。データ処理部７００は、主制御部８００から受信する「コマンド」に基づいて、回路制御部６００に指示を与えるミドルウェアとしての機能を備えるものである。なお、コマンドの詳細については後述する。
【００７１】
データ処理部７００は、表示データ処理部７０１およびセンサデータ処理部７０３を備えている。そして、データ処理部７００が、主制御部８００からコマンドを受信すると、該受信したコマンドに含まれる各フィールド（後述する）の値に応じて、表示データ処理部７０１およびセンサデータ処理部７０３の少なくとも一方が動作する。
【００７２】
表示データ処理部７０１は、主制御部８００から表示データを受信するとともに、データ処理部７００が受信したコマンドに従って、表示制御部６０１およびバックライト制御部６０３に指示を与え、上記受信した表示データをセンサ内蔵液晶パネル３０１に表示させる。なお、コマンドに応じた、表示データ処理部７０１の動作については、後述する。
【００７３】
センサデータ処理部７０３は、データ処理部７００が受信したコマンドに従って、センサ制御部６０２およびバックライト制御部６０３に指示を与える。
【００７４】
また、センサデータ処理部７０３は、センサ制御部６０２から画像データを受信し、当該画像データをそのまま画像データバッファ７０４に格納する。そして、センサデータ処理部７０３は、データ処理部７００が受信したコマンドに従って、画像データバッファ７０４に記憶されている画像データに基づいて、「全体画像データ」、「部分画像データ（部分画像の座標データを含む）」、および「座標データ」の少なくともいずれか１つを、主制御部８００に送信する。なお、全体画像データ、部分画像データ、および座標データについては、後述する。また、コマンドに応じた、センサデータ処理部７０３の動作については、後述する。
【００７５】
次に、主制御部８００は、アプリケーションプログラムを実行するものである。主制御部８００は、記憶部９０１に格納されているプログラムを、例えばＲＡＭ（Random Access Memory）等で構成される一次記憶部９０２に読み出して実行する。
【００７６】
主制御部８００で実行されるアプリケーションプログラムは、センサ内蔵液晶パネル３０１に表示データを表示させたり、センサ内蔵液晶パネル３０１にて対象物のスキャンを行わせるために、データ処理部７００に対して、コマンドおよび表示データを送信する。また、コマンドに「データ種別」を指定した場合は、当該コマンドの応答として、全体画像データ、部分画像データ、および座標データの少なくともいずれか１つを、データ処理部７００から受信する。
【００７７】
なお、回路制御部６００、データ処理部７００、および主制御部８００は、それぞれ、ＣＰＵ（Central Processing Unit）およびメモリ等で構成することができる。また、データ処理部７００は、ＡＳＩＣ（application specific integrate circuit）などの回路で構成されていてもよい。
【００７８】
次に、記憶部９０１は、図示のように、主制御部８００が実行するプログラムおよびデータを格納するものである。なお、主制御部８００が実行するプログラムは、アプリケーション固有のプログラムと、各アプリケーションが共用可能な汎用プログラムとに分離されていてもよい。
【００７９】
次に、操作部９０３は、データ表示／センサ装置１００のユーザの入力操作を受けつけるものである。操作部９０３は、例えば、スイッチ、リモコン、マウス、キーボードなどの入力デバイスで構成される。そして、操作部９０３は、データ表示／センサ装置１００のユーザの入力操作に応じた制御信号を生成し、該生成した制御信号を主制御部８００へ送信する。
【００８０】
なお、上記スイッチの例としては、筐体のヒンジ部分に設けられ、筐体の開閉状態を検出するヒンジ部スイッチ９０４、電源のオンとオフとを切り替える電源スイッチ９０５、予め所定の機能が割り当てられているユーザスイッチ９０６などのハードウェアスイッチを想定している。
【００８１】
その他、データ表示／センサ装置１００は、無線／有線通信によって外部装置と通信を行なうための外部通信部９０７、音声を出力するためのスピーカ等の音声出力部９０８、音声信号を入力するためのマイク等の音声入力部９０９などを適宜備えていてもよい。
【００８２】
（コマンドの詳細）
次に、図５および図６を参照しながら、主制御部８００からデータ処理部７００に送信されるコマンドの詳細について説明する。図５は、コマンドのフレーム構造の一例を模式的に示す図である。また、図６は、コマンドに含まれる各フィールドに指定可能な値の一例、および、その概要を説明する図である。
【００８３】
図５に示すように、コマンドは、「ヘッダ」、「データ取得タイミング」、「データ種別」、「スキャン方式」、「スキャン画像階調」、「スキャン解像度」、「スキャンパネル」、「表示パネル」、および「予備」の各フィールドを含んでいる。そして、各フィールドには、例えば、図６に示す値が指定可能である。
【００８４】
「ヘッダ」フィールドは、フレームの開始を示すフィールドである。「ヘッダ」フィールドであることが識別可能であれば、「ヘッダ」フィールドの値は、どのような値であってもよい。
【００８５】
次に、「データ取得タイミング」フィールドは、データを主制御部８００へ送信すべきタイミングを指定するフィールドである。「データ取得タイミング」フィールドには、例えば、“00”（センス）、“01”（イベント）、および“10”（オール）という値が指定可能である。
【００８６】
ここで、“センス”は、最新のデータを直ちに送信することを指定するものである。よって、センサデータ処理部７０３は、「データ取得タイミング」フィールドの値が“センス”であるコマンドを受信すると、「データ種別」フィールドにて指定されている最新のデータを、直ちに、主制御部８００に送信する。
【００８７】
また、“イベント”は、センサ制御部６０２から受信する画像データに変化が生じたタイミングで送信することを指定するものである。よって、センサデータ処理部７０３は、「データ取得タイミング」フィールドの値が“イベント”であるコマンドを受信すると、「データ種別」フィールドにて指定されているデータを、センサ制御部６０２から受信する画像データに、所定の閾値より大きい変化が生じたタイミングで、主制御部８００に送信する。
【００８８】
また、“オール”は、所定周期でデータを送信することを指定するものである。よって、センサデータ処理部７０３は、「データ取得タイミング」フィールドの値が“オール”であるコマンドを受信すると、「データ種別」フィールドにて指定されているデータを、所定周期で、主制御部８００に送信する。
【００８９】
次に、「データ種別」フィールドは、センサデータ処理部７０３から取得するデータの種別を指定するフィールドである。なお、「データ種別」フィールドには、例えば、“001”（座標）、“010”（部分画像）、および“100”（全体画像）という値が指定可能である。さらに、これらの値を加算することによって、“座標”と、“部分画像”／“全体画像”とを、同時に指定可能である。例えば、“座標”と“部分画像”とを同時に指定する場合、“011”と指定することができる。
【００９０】
センサデータ処理部７０３は、「データ種別」フィールドの値が“全体画像”であるコマンドを受信すると、画像データバッファ７０４に記憶している画像データそのものを主制御部８００に送信する。画像データバッファ７０４に記憶している画像データそのものを、「全体画像データ」と称する。
【００９１】
また、センサデータ処理部７０３は、「データ種別」フィールドの値が“部分画像”であるコマンドを受信すると、センサ制御部６０２から受信する画像データから、所定の閾値より大きい変化が生じた部分を含む領域を抽出し、該抽出した領域の画像データを主制御部８００に送信する。ここで、当該画像データを、「部分画像データ」と称する。なお、上記部分画像データが複数抽出された場合、センサデータ処理部７０３は、該抽出されたそれぞれの部分画像データを主制御部８００に送信する。
【００９２】
さらに、センサデータ処理部７０３は、「データ種別」フィールドの値が“部分画像”であるコマンドを受信したとき、部分画像データにおける代表座標を検出し、当該代表座標の部分画像データにおける位置を示す座標データを主制御部８００に送信する。なお、上記代表座標とは、例えば、上記部分画像データの中心の座標、上記部分画像データの重心の座標などが挙げられる。
【００９３】
次に、センサデータ処理部７０３は、「データ種別」フィールドの値が“座標”であるコマンドを受信すると、上記代表座標の全体画像データにおける位置を示す座標データを主制御部８００に送信する。なお、上記部分画像データが複数抽出された場合、センサデータ処理部７０３は、該抽出された、それぞれの部分画像データの、全体画像データにおける代表座標を検出し、当該代表座標を示す座標データのそれぞれを主制御部８００に送信する（多点検出）。
【００９４】
なお、全体画像データ、部分画像データ、および座標データの具体例については、模式図を参照しながら後述する。
【００９５】
次に、「スキャン方式」フィールドは、スキャン実行時に、バックライト３０７を点灯するか否かを指定するフィールドである。「スキャン方式」フィールドには、例えば、“00”（反射）、“01”（透過）、および“10”（反射／透過）という値が指定可能である。
【００９６】
“反射”は、バックライト３０７を点灯した状態でスキャンを行なうことを指定するものである。よって、センサデータ処理部７０３は、「スキャン方式」フィールドの値が“反射”であるコマンドを受信すると、光センサ駆動回路３０５とバックライト駆動回路３０８とが同期して動作するように、センサ制御部６０２とバックライト制御部６０３とに指示を与える。
【００９７】
また、“透過”は、バックライト３０７を消灯した状態でスキャンを行なうことを指定するものである。よって、センサデータ処理部７０３は、「スキャン方式」フィールドの値が“透過”であるコマンドを受信すると、光センサ駆動回路３０５を動作させ、バックライト駆動回路３０８と動作させないようにセンサ制御部６０２とバックライト制御部６０３とに指示を与える。なお、“反射／透過”は、“反射”と“透過”とを併用してスキャンを行なうことを指定するものである。
【００９８】
次に、「スキャン画像階調」フィールドは、部分画像データおよび全体画像データの階調を指定するフィールドである。「スキャン画像階調」フィールドには、例えば、“00”（２値）、および“01”（多値）という値が指定可能である。
【００９９】
ここで、センサデータ処理部７０３は、「スキャン画像階調」フィールドの値が“２値”であるコマンドを受信すると、部分画像データおよび全体画像データをモノクロデータとして、主制御部８００に送信する。
【０１００】
また、センサデータ処理部７０３は、「スキャン画像階調」フィールドの値が“多値”であるコマンドを受信すると、部分画像データおよび全体画像データを多階調データとして、主制御部８００に送信する。
【０１０１】
次に、「スキャン解像度」フィールドは、部分画像データおよび全体画像データの解像度を指定するフィールドである。「スキャン解像度」フィールドには、例えば、“0”（高）および“1”（低）という値が指定可能である。
【０１０２】
ここで、“高”は、高解像度を指定するものである。よって、センサデータ処理部７０３は、「スキャン解像度」フィールドの値が“高”であるコマンドを受信すると、部分画像データおよび全体画像データを高解像度で主制御部８００に送信する。例えば、画像認識などの画像処理を行なう対象の画像データ（指紋などの画像データ）には、“高”を指定することが望ましい。
【０１０３】
また、“低”は、低解像度を指定するものである。よって、センサデータ処理部７０３は、「スキャン解像度」フィールドの値が“低”であるコマンドを受信すると、部分画像データおよび全体画像データを低解像度で主制御部８００に送信する。例えば、タッチした位置等が分かる程度でよい画像データ（タッチした指や手の画像データなど）には、“低”を指定することが望ましい。
【０１０４】
次に、「スキャンパネル」フィールドは、どの表示／光センサ部３００にて対象物のスキャンを行なうかを指定するフィールドである。「スキャンパネル」フィールドには、例えば、“001”（第１表示／光センサ部３００Ａ）、“010”（第２表示／光センサ部３００Ｂ）という値が指定可能である。なお、これらの値を加算することによって、複数の表示／光センサ部３００を同時に指定可能である。例えば、“第１表示／光センサ部３００Ａ”と“第２表示／光センサ部３００Ｂ”とを同時に指定する場合、“011”と指定することができる。
【０１０５】
ここで、センサデータ処理部７０３は、「スキャンパネル」フィールドの値が“第１表示／光センサ部３００Ａ”であるコマンドを受信すると、第１表示／光センサ部３００Ａの光センサ駆動回路３０５およびバックライト駆動回路３０８を制御するように、センサ制御部６０２およびバックライト制御部６０３に指示を与える。
【０１０６】
次に、「表示パネル」フィールドは、どの表示／光センサ部３００にて表示データを表示させるかを指定するフィールドである。「表示パネル」フィールドには、例えば、“001”（第１表示／光センサ部３００Ａ）、“010”（第２表示／光センサ部３００Ｂ）という値が指定可能である。なお、これらの値を加算することによって、複数の表示／光センサ部３００を同時に指定可能である。例えば、“第１表示／光センサ部３００Ａ”と“第２表示／光センサ部３００Ｂ”とを同時に指定する場合、“011”と指定することができる。
【０１０７】
ここで、表示データ処理部７０１は、例えば、「表示パネル」フィールドの値が“第１表示／光センサ部３００Ａ”であるコマンドを受信すると、第１表示／光センサ部３００Ａに表示データを表示させるために、第１表示／光センサ部３００Ａの液晶パネル駆動回路３０４およびバックライト駆動回路３０８を制御するように、表示制御部６０１およびバックライト制御部６０３に指示を与える。
【０１０８】
次に、「予備」フィールドは、上述したフィールドにて指定可能な情報以外の情報をさらに指定する必要がある場合に、適宜指定されるフィールドである。
【０１０９】
なお、主制御部８００にて実行されるアプリケーションは、コマンドを送信するにあたり、上述したフィールドを全て使用する必要はなく、使用しないフィールドには無効値（ＮＵＬＬ値など）を設定しておけばよい。
【０１１０】
また、ユーザが指やペンなどでタッチした位置の座標データを取得したいときは、「データ種別」フィールドに“座標”を指定したコマンドをデータ処理部７００に送信することとなるが、指やペンなどは動きがあるため、さらに、当該コマンドの「データ取得タイミング」フィールドに“オール”を指定し、座標データを取得するようにすることが望ましい。また、タッチした位置の座標データが取得できればよいため、スキャンの精度は高くなくてもよい。したがって、上記コマンドの「スキャン解像度」フィールドの値は“低”を指定しておけばよい。
【０１１１】
また、コマンドの「データ種別」フィールドに“座標”を指定した場合において、例えば、ユーザが、複数の指やペンなどでセンサ内蔵液晶パネル３０１を同時にタッチした場合は、該タッチした位置の座標データのそれぞれを取得することができる（多点検出）。
【０１１２】
また、原稿などの対象物の画像データを取得する場合、「データ種別」フィールドに“全体画像”を指定したコマンドをデータ処理部７００に送信することとなるが、原稿などの対象物は、通常、静止させた状態でスキャンを実行することが一般的であるため、周期的にスキャンを実行する必要はない。従って、この場合は、「データ取得タイミング」フィールドに“センス”または“イベント”を指定することが望ましい。なお、原稿などの対象物をスキャンするときは、ユーザが文字を読みやすいように、スキャン精度は高い方が望ましい。したがって、「スキャン解像度」フィールドには“高”を指定することが望ましい。
【０１１３】
（全体画像データ／部分画像データ／座標データ）
次に、図７を参照しながら、全体画像データ、部分画像データ、および座標データについて、例を挙げて説明する。図７（ａ）に示す画像データは、対象物がセンサ内蔵液晶パネル３０１上に置かれていないときに、センサ内蔵液晶パネル３０１全体をスキャンした結果として得られる画像データである。また、図７（ｂ）に示す画像データは、ユーザが指でセンサ内蔵液晶パネル３０１をタッチしているときに、センサ内蔵液晶パネル３０１全体をスキャンした結果として得られる画像データである。
【０１１４】
ユーザが指でセンサ内蔵液晶パネル３０１をタッチしたとき、当該タッチした近傍の光センサ回路３２が受光する光量が変化するため、当該光センサ回路３２が出力する電圧に変化が生じ、その結果として、センサ制御部６０２が生成する画像データのうち、ユーザがタッチした部分の画素値の明度に変化が生じることとなる。
【０１１５】
図７（ｂ）に示す画像データでは、図７（ａ）に示す画像データと比べると、ユーザの指に該当する部分の画素値の明度が高くなっている。そして、図７（ｂ）に示す画像データにおいて、明度が所定の閾値より大きく変化している画素値を全て含む最小の矩形領域（領域ＰＰ）が、“部分画像データ”である。
【０１１６】
なお、領域ＡＰで示される画像データが、“全体画像データ”である。
【０１１７】
また、部分画像データ（領域ＰＰ）の代表座標Ｚの、全体画像データ（領域ＡＰ）における座標データは（Ｘａ,Ｙａ）であり、部分画像データ（領域ＰＰ）における座標データは（Ｘｐ,Ｙｐ）である。
【０１１８】
（センサ内蔵液晶パネルの構成）
次に、図８を参照しながら、センサ内蔵液晶パネル３０１の構成、および、センサ内蔵液晶パネル３０１の周辺回路３０９の構成について説明する。図８は、表示／光センサ部３００の要部、特に、センサ内蔵液晶パネル３０１の構成および周辺回路３０９の構成を示すブロック図である。
【０１１９】
センサ内蔵液晶パネル３０１は、光透過率（輝度）を設定するための画素回路３１、および、自身が受光した光の強度に応じた電圧を出力する光センサ回路３２を備えている。なお、画素回路３１は、赤色、緑色、青色のカラーフィルタのそれぞれに対応するＲ画素回路３１ｒ、Ｇ画素回路３１ｇ、Ｂ画素回路３１ｂの総称として用いる。
【０１２０】
画素回路３１は、センサ内蔵液晶パネル３０１上の列方向（縦方向）にｍ個、行方向（横方向）に３ｎ個配置される。そして、Ｒ画素回路３１ｒ、Ｇ画素回路３１ｇ、およびＢ画素回路３１ｂの組が、行方向（横方向）に連続して配置される。この組が１つの画素を形成する。
【０１２１】
画素回路３１の光透過率を設定するには、まず、画素回路３１に含まれるＴＦＴ（Thin Film Transistor）３３のゲート端子に接続される走査信号線Ｇiにハイレベル電圧（ＴＦＴ３３をオン状態にする電圧）を印加する。その後、Ｒ画素回路３１ｒのＴＦＴ３３のソース端子に接続されているデータ信号線ＳＲｊに、所定の電圧を印加する。同様に、Ｇ画素回路３１ｇおよびＢ画素回路３１ｂについても、光透過率を設定する。そして、これらの光透過率を設定することにより、センサ内蔵液晶パネル３０１上に画像が表示される。
【０１２２】
次に、光センサ回路３２は、一画素毎に配置される。なお、Ｒ画素回路３１ｒ、Ｇ画素回路３１ｇ、およびＢ画素回路３１ｂのそれぞれの近傍に１つずつ配置されてもよい。
【０１２３】
光センサ回路３２にて光の強度に応じた電圧を出力させるためには、まず、コンデンサ３５の一方の電極に接続されているセンサ読み出し線ＲＷiと、フォトダイオード６のアノード端子に接続されているセンサリセット線ＲＳiとに所定の電圧を印加する。この状態において、フォトダイオード６に光が入射されると、入射した光量に応じた電流がフォトダイオード６に流れる。そして、当該電流に応じて、コンデンサ３５の他方の電極とフォトダイオード６のカソード端子との接続点（以下、接続ノードＶ）の電圧が低下する。そして、センサプリアンプ３７のドレイン端子に接続される電圧印加線ＳＤｊに電源電圧ＶＤＤを印加すると、接続ノードＶの電圧は増幅され、センサプリアンプ３７のソース端子からセンシングデータ出力線ＳＰｊに出力される。そして、当該出力された電圧に基づいて、光センサ回路３２が受光した光量を算出することができる。
【０１２４】
次に、センサ内蔵液晶パネル３０１の周辺回路である、液晶パネル駆動回路３０４、光センサ駆動回路３０５、およびセンサ出力アンプ４４について説明する。
【０１２５】
液晶パネル駆動回路３０４は、画素回路３１を駆動するための回路であり、走査信号線駆動回路３０４１およびデータ信号線駆動回路３０４２を含んでいる。
【０１２６】
走査信号線駆動回路３０４１は、表示制御部６０１から受信したタイミング制御信号ＴＣ１とバス制御部６０５から受信したＬＣＤセレクト信号とに基づいて、１ライン時間毎に、走査信号線Ｇ１〜Ｇｍの中から１本の走査信号線を順次選択し、該選択した走査信号線にハイレベル電圧を印加するとともに、その他の走査信号線にローレベル電圧を印加する。
【０１２７】
データ信号線駆動回路３０４２は、表示制御部６０１から受信した表示データＤ（ＤＲ、ＤＧ、およびＤＢ）とバス制御部６０５から受信したＬＣＤセレクト信号とに基づいて、１ライン時間毎に、１行分の表示データに対応する所定の電圧を、データ信号線ＳＲ１〜ＳＲｎ、ＳＧ１〜ＳＧｎ、ＳＢ１〜ＳＢｎに印加する（線順次方式）。なお、データ信号線駆動回路３０４２は、点順次方式で駆動するものであってもよい。
【０１２８】
光センサ駆動回路３０５は、光センサ回路３２を駆動するための回路である。光センサ駆動回路３０５は、センサ制御部６０２から受信したタイミング制御信号ＴＣ２とバス制御部６０５から受信したセンサセレクト信号とに基づいて、センサ読み出し信号線ＲＷ１〜ＲＷｍの中から、１ライン時間毎に１本ずつ選択したセンサ読み出し信号線に所定の読み出し用電圧を印加するとともに、その他のセンサ読み出し信号線には、所定の読み出し用電圧以外の電圧を印加する。また、同様に、タイミング制御信号ＴＣ２とセンサセレクト信号とに基づいて、センサリセット信号線ＲＳ１〜ＲＳｍの中から、１ライン時間毎に１本ずつ選択したセンサリセット信号線に所定のリセット用電圧を印加するとともに、その他のセンサリセット信号線には、所定のリセット用電圧以外の電圧を印加する。
【０１２９】
センシングデータ出力信号線ＳＰ１〜ＳＰｎはｐ個（ｐは１以上ｎ以下の整数）のグループにまとめられ、各グループに属するセンシングデータ出力信号線は、時分割で順次オン状態になるスイッチ４７を介して、センサ出力アンプ４４に接続される。センサ出力アンプ４４は、スイッチ４７により接続されたセンシングデータ出力信号線のグループからの電圧を増幅し、センサ出力信号ＳＳ（ＳＳ１〜ＳＳｐ）として、信号変換回路３０６へ出力する。
【０１３０】
なお、上記では、光センサ駆動回路３０５は、センサセレクト信号に基づいて駆動されるが、これに限られたものではない。すなわち、光センサ駆動回路３０５は、センサセレクト信号がローレベルの期間であっても、タイミング制御信号ＴＣ２に基づいてセンサ出力信号ＳＳを、信号変換回路３０６の出力しておいてもよい。
【０１３１】
この場合、信号変換回路３０６は、センサ出力信号ＳＳをデジタル信号（ＤＳ）に変換し、当該デジタル信号（ＤＳ）を一時的に保存しておく。そして、信号変換回路３０６は、ハイレベルのセンサセレクト信号を取得したときに、一時的に保存されたデジタル信号（ＤＳ）をバス４００に出力する。
【０１３２】
（データ表示／センサ装置の筐体）
次に、図９（ａ）および図９（ｂ）を参照しながら、本発明に係るデータ表示／センサ装置１００の筐体について説明する。図９（ａ）および図９（ｂ）は、データ表示／センサ装置１００の筐体を示す概要図である。図示のとおり、データ表示／センサ装置１００は、第１表示／光センサ部３００Ａと第２表示／光センサ部３００Ｂとが向き合うように、ヒンジ部Ｈで折り畳むことができる、いわゆるクラムシェル型の筐体を有している。
【０１３３】
図９（ａ）は、第１表示／光センサ部３００Ａおよび第２表示／光センサ部３００Ｂにそれぞれ配設されたセンサ内蔵液晶パネル３０１（図９（ｂ）に示すセンサ内蔵液晶パネル３０１Ａ、３００Ｂ）が対向し、データ表示／センサ装置１００の筐体を閉じた（つまり、折り畳んだ）様子を示すものである。このとき、センサ内蔵液晶パネル３０１に表示される画像を見ることができないので、データ表示／センサ装置１００は、センサ内蔵液晶パネル３０１の表示機能をオフにしてもよい。
【０１３４】
図９（ｂ）は、データ表示／センサ装置１００の筐体を開いた（つまり、折り畳んでいない）様子を示す図である。このとき、データ表示／センサ装置１００は、主制御部８００が実行するアプリケーションプログラムに基づいて、センサ内蔵液晶パネル３０１Ａ、３０１Ｂに画像を表示させる。
【０１３５】
また、図９（ｂ）は、センサ内蔵液晶パネル３０１Ａがユーザによる入力（ペンＰによる入力）を取得し、当該ペンＰの先端位置にあわせてカーソルＣを表示させた様子を示すものである。すなわち、ユーザがセンサ内蔵液晶パネル３０１Ａ上でペンＰを移動させた場合、当該ペンＰに追随してカーソルＣが移動するように、センサ内蔵液晶パネル３０１Ａの画像を切り替えて表示する。
【０１３６】
なお、図９（ｂ）では、センサ内蔵液晶パネル３０１Ａがユーザによる入力を取得した場合について説明しているが、これに限らず、センサ内蔵液晶パネル３０１Ｂに対する入力があった場合も同様である。
【０１３７】
（表示／光センサ部および回路制御部の要部構成）
次に、図１を参照しながら、上記データ表示／センサ装置１００の要部構成についてさらに説明する。図１は、データ表示／センサ装置１００の表示／光センサ部３００および回路制御部６００の要部構成を示すブロック図である。ここでは、データ表示／センサ装置１００は、表示／光センサ部３００を２つ備えた構成、すなわち第１表示／光センサ部３００Ａおよび第２表示／光センサ部３００Ｂを備えた構成となっている。
【０１３８】
第１表示／光センサ部３００Ａは、センサ内蔵液晶パネル３０１Ａ、バックライト３０７Ａ、それらを駆動するための周辺回路３０９Ａを含んで構成される。センサ内蔵液晶パネル３０１Ａは、複数の画素回路３１Ａおよび光センサ回路３２Ａを含んで構成される。また、周辺回路３０９Ａは、液晶パネル駆動回路３０４Ａ、光センサ駆動回路３０５Ａ、信号変換回路３０６Ａ、バックライト駆動回路３０８Ａを含む。
【０１３９】
第２表示／光センサ部３００Ｂは、センサ内蔵液晶パネル３０１Ｂ、バックライト３０７Ｂ、それらを駆動するための周辺回路３０９Ｂを含んで構成される。センサ内蔵液晶パネル３０１Ｂは、複数の画素回路３１Ｂおよび光センサ回路３２Ｂを含んで構成される。また、周辺回路３０９Ｂは、液晶パネル駆動回路３０４Ｂ、光センサ駆動回路３０５Ｂ、信号変換回路３０６Ｂ、バックライト駆動回路３０８Ｂを含む。
【０１４０】
なお、第１表示／光センサ部３００Ａおよび第２表示／光センサ部３００Ｂは、これらを総称した表示／光センサ部３００の要部構成と同じである。このため、第１表示／光センサ部３００Ａおよび第２表示／光センサ部３００Ｂの各部は、上述した表示／光センサ部３００の各部と同一の機能を有するので、ここではその説明を省略する。
【０１４１】
上述のように、第１表示／光センサ部３００Ａおよび第２表示／光センサ部３００Ｂと回路制御部６００とがバス４００を共用して信号の入出力を行うことを可能とするために、回路制御部６００のバス制御部６０５は、各種制御信号を回路制御部６００の各部に出力する。以下では、バス制御部６０５および各種制御信号について説明するが、その前にバス切替部６０６の要部構成について説明する。
【０１４２】
バス切替部６０６は、上述のように、バス４００を介して入出力される、データ信号（Ｄ）およびデジタル信号（ＤＳ）の切り替えを行うものである。このために、バス切替部６０６は、スイッチングトランジスタ６０６１および増幅器６０６２を備えている。
【０１４３】
スイッチングトランジスタ６０６１は、バス制御部６０５から出力される制御信号に基づいて、オン／オフを切り替えるものである。スイッチングトランジスタ６０６１のソース（エミッタ）およびドレイン（コレクタ）は、表示制御部６０１の出力端子（図示せず）とバス４００とにそれぞれ接続されている。また、スイッチングトランジスタ６０６１のゲート（ベース）は、バス制御部６０５の出力端子（図示せず）と接続されている。
【０１４４】
スイッチングトランジスタ６０６１のゲート（ベース）にハイレベルの制御信号が入力された場合には、スイッチングトランジスタ６０６１がオンとなり、表示制御部６０１から出力されるデータ信号（Ｄ）がバス４００および増幅器６０６２へと供給される。一方、スイッチングトランジスタ６０６１のゲート（ベース）にローレベルの制御信号が入力された場合には、スイッチングトランジスタ６０６１がオフとなり、このとき表示制御部６０１から出力されるデータ信号（Ｄ）はバス４００には供給されない。
【０１４５】
なお、実際には、スイッチングトランジスタ６０６１にローレベルの制御信号が入力されている間、バス制御部６０５は、表示制御部６０１がデータ信号（Ｄ）を出力しないように制御している。
【０１４６】
増幅器６０６２は、バス４００またはセンサ制御部６０２から流れ込むデジタル信号（ＤＳ）またはデータ信号（Ｄ）を増幅するものである。増幅器６０６２のソース（エミッタ）およびドレイン（コレクタ）は、スイッチングトランジスタ６０６１とバス４００との間、および、センサ制御部６０２の入力端子（図示せず）にそれぞれ接続されている。増幅器６０６２が増幅したデジタル信号（ＤＳ）またはデータ信号（Ｄ）は、センサ制御部６０２に供給される。
【０１４７】
なお、上記では、スイッチングトランジスタ６０６１がオンのときに、データ信号（Ｄ）が増幅器６０６２を介してセンサ制御部６０２に流れ込むが、実際にはセンサ制御部６０２がデータ信号（Ｄ）を取得することはない。これは、スイッチングトランジスタ６０６１がオンの間、バス制御部６０５がセンサ制御部６０２に対して制御信号（具体的には、制御信号SC_CTRLの「入力停止信号」）を供給しているためである。
【０１４８】
次に、バス制御部６０５および各種制御信号について説明する。
【０１４９】
バス制御部６０５は、表示制御部６０１に対して制御信号LCD_CTRLを出力することにより、表示制御部６０１がデータ信号（Ｄ）を出力するタイミングを制御する。
【０１５０】
具体的には、バス制御部６０５が制御信号LCD_CTRLとして「表示命令Ａ」を出力した場合、表示制御部６０１は、表示データ記憶部６０４を参照して、第１表示／光センサ部３００Ａに供給すべきデータ信号（Ｄ）である「表示データＡ」を生成し、バス切替部６０６に出力する。一方、表示制御部６０１は、バス制御部６０５から制御信号LCD_CTRLとして「表示命令Ｂ」を受信した場合には、表示データ記憶部６０４を参照して、第２表示／光センサ部３００Ｂに供給すべきデータ信号（Ｄ）である「表示データＢ」を生成し、バス切替部６０６に出力する。すなわち、表示制御部６０１は、制御信号LCD_CTRLに基づいて、データ信号（Ｄ）である「表示データＡ」または「表示データＢ」のいずれかを生成して、バス切替部６０６に出力する。
【０１５１】
また、バス制御部６０５は、センサ制御部６０２に対して制御信号SC_CTRLを出力することにより、バス切替部６０６から出力されるデジタル信号（ＤＳ）を取得するタイミングを制御するものである。
【０１５２】
具体的には、バス制御部６０５が制御信号SC_CTRLとして「入力命令Ａ」を出力した場合、センサ制御部６０２は、第１表示／光センサ部３００Ａが出力したデジタル信号（ＤＳ）である「センサデータＡ」を取得する。一方、バス制御部６０５が制御信号SC_CTRLとして「入力命令Ｂ」を出力した場合、センサ制御部６０２は、第２表示／光センサ部３００Ｂが出力したデジタル信号（ＤＳ）である「センサデータＢ」を取得する。すなわち、センサ制御部６０２は、制御信号SC_CTRLに基づいて、デジタル信号（ＤＳ）である「センサデータＡ」および「センサデータＢ」を、バス切替部６０６から選択的に取得することができる。
【０１５３】
また、バス制御部６０５は、バス切替部６０６に対して制御信号BUS_CTRLを出力することにより、バス切替部６０６がバス４００（表示制御部６０１およびセンサ制御部６０２）に対するデータ信号（Ｄ）またはデジタル信号（ＤＳ）の入出力タイミングを制御するものである。
【０１５４】
具体的には、バス制御部６０５がハイレベルの制御信号BUS_CTRLを出力している間、スイッチングトランジスタ６０６１はオンとなっているので、データ信号（Ｄ）がバス４００に出力される。一方、バス制御部６０５がローレベルの制御信号BUS_CTRLを出力している間、スイッチングトランジスタ６０６１はオフとなり、データ信号（Ｄ）がバス４００に供給されることはない。
【０１５５】
さらに、バス制御部６０５は、第１表示／光センサ部３００Ａまたは第２表示／光センサ部３００Ｂに対して、セレクト信号（ＬＣＤセレクト信号Ａ、Ｂおよびセンサセレクト信号Ａ、Ｂ）を所定のタイミングで出力するものである。すなわち、バス制御部６０５は、上記セレクト信号のうち、１つのセレクト信号を１フレーム周期（垂直同期信号における１周期）毎にハイレベル（その他のセレクト信号をローレベル）にして、第１表示／光センサ部３００Ａまたは第２表示／光センサ部３００Ｂに供給するものである。
【０１５６】
具体的には、バス制御部６０５は、第１表示／光センサ部３００Ａの液晶パネル駆動回路３０４Ａに対してはＬＣＤセレクト信号Ａ、光センサ駆動回路３０５Ａおよび信号変換回路３０６Ａに対してはセンサセレクト信号Ａが供給される。また、バス制御部６０５は、第２表示／光センサ部３００Ｂの液晶パネル駆動回路３０４Ｂに対してはＬＣＤセレクト信号Ｂ、光センサ駆動回路３０５Ｂおよび信号変換回路３０６Ｂに対してはセンサセレクト信号Ｂが供給される。
【０１５７】
例えば、バス制御部６０５がハイレベルのＬＣＤセレクト信号Ａを液晶パネル駆動回路３０４Ａに供給している間、液晶パネル駆動回路３０４Ａは、このときバス４００に供給されている信号（データ信号（Ｄ）である「表示データＡ」）を取得することができる。一方、バス制御部６０５がローレベルのＬＣＤセレクト信号Ａを液晶パネル駆動回路３０４Ａに供給している間、液晶パネル駆動回路３０４Ａは、このときバス４００に供給されている信号を取得しない（すなわち無視する）。
【０１５８】
このように、データ表示／センサ装置１００では、バス制御部６０５が各種制御信号および各種セレクト信号を供給することにより、バス４００を共有してデータ信号（Ｄ）およびデジタル信号（ＤＳ）の入出力を実現することができる。
【０１５９】
（各種制御信号および各種セレクト信号のタイミングチャート）
次に、図１０を参照しながら、バス制御部６０５から各種制御信号および各種セレクト信号が出力されるタイミング、並びに、データ信号（Ｄ）およびデジタル信号（ＤＳ）が表示／光センサ部３００および回路制御部６００にて入出力されるタイミングについて説明する。図１０は、バス制御部６０５から出力される制御信号およびセレクト信号、並びに、表示制御部６０１と、センサ制御部６０２と、液晶パネル駆動回路３０４Ａ、３０４Ｂと、光センサ駆動回路３０５Ａ、３０５Ｂと、信号変換回路３０６Ａ、３０６Ｂとに入出力される制御信号、セレクト信号、データ信号（Ｄ）およびデジタル信号（ＤＳ）の関係を示すタイミングチャートである。
【０１６０】
ここで、図１０に示すタイミングチャートは、液晶パネル駆動回路３０４の動作モードと休止モードとの動作比率が１：３である間欠駆動方式の場合を例示している。すなわち、１フレーム周期分の動作モード（バス制御部６０５がハイレベルのＬＣＤセレクト信号ＡまたはＢを出力）後に、３フレーム周期分の休止モード（バス制御部６０５がローレベルのＬＣＤセレクト信号ＡまたはＢを出力）が続く間欠駆動方式の場合を例示している。
【０１６１】
なお、単に「動作比率」と記載した場合には、「動作モード：休止モード」を表すものとする。なお、ここでは、動作モードと休止モードとの動作比率を、１フレーム期間またはその倍数としているが、１フレーム期間とは無関係な期間であってもよい。
【０１６２】
さらに、休止モード（ＬＣＤセレクト信号Ａおよび／またはＢがローレベル）の期間にある液晶パネル駆動回路３０４は、新たな画像に切り替えるリフレッシュ動作を行わないので、当該液晶パネル駆動回路３０４を動作させておく必要がない。このため、データ表示／センサ装置１００では、休止モード期間の液晶パネル駆動回路３０４の動作を停止させることで、これらの回路における消費電力を低減させることができる。
【０１６３】
まず、回路制御部６００における各種制御信号、各種セレクト信号、データ信号（Ｄ）およびデジタル信号（ＤＳ）の入出力タイミングについて説明する。
【０１６４】
図１０に示すように、バス制御部６０５は、ハイレベルのＬＣＤセレクト信号Ａ、ＬＣＤセレクト信号Ｂ、センサセレクト信号Ａ、センサセレクト信号Ｂをこの順に１フレーム期間毎に出力する。なお、セレクト信号の出力順は、これに限られたものではなく、どのような順序であってもよい。
【０１６５】
また、バス制御部６０５は、ＬＣＤセレクト信号ＡまたはＬＣＤセレクト信号Ｂがハイレベルで出力されている期間に、ハイレベルの制御信号BUS_CTRLをバス切替部６０６に出力する。一方、バス制御部６０５は、センサセレクト信号Ａまたはセンサセレクト信号Ｂがハイレベルで出力されている期間に、ローレベルの制御信号BUS_CTRLをバス切替部６０６に出力する。
【０１６６】
さらに、バス制御部６０５は、ＬＣＤセレクト信号Ａがハイレベルで出力されている期間に、制御信号LCD_CTRLとして「表示命令Ａ」を表示制御部６０１に出力する。また、ＬＣＤセレクト信号Ｂがハイレベルで出力されている期間に、制御信号LCD_CTRLとして「表示命令Ｂ」を表示制御部６０１に出力する。
【０１６７】
一方、バス制御部６０５は、ＬＣＤセレクト信号Ａ、Ｂが共にローレベルで出力されている期間には、制御信号LCD_CTRLとして「出力停止命令」を表示制御部６０１に出力する。表示制御部６０１は、この「出力停止命令」を受信している期間、データ信号（Ｄ）をバス切替部６０６に出力しない。
【０１６８】
さらに、バス制御部６０５は、センサセレクト信号Ａがハイレベルで出力されている期間に、制御信号SC_CTRLとして「入力命令Ａ」をセンサ制御部６０２に出力する。また、センサセレクト信号Ｂがハイレベルで出力されている期間に、制御信号SC_CTRLとして「入力命令Ｂ」をセンサ制御部６０２に出力する。
【０１６９】
一方、バス制御部６０５は、センサセレクト信号Ａ、Ｂが共にローレベルで出力されている期間には、制御信号SC_CTRLとして「入力停止命令」をセンサ制御部６０２に出力する。センサ制御部６０２は、この「入力停止命令」を受信している期間、デジタル信号（ＤＳ）をバス切替部６０６から出力される信号（データ信号（Ｄ））を「無効データ」として取得する。すなわち、センサ制御部６０２は、この期間に受信した信号を無効にする。
【０１７０】
次に、表示制御部６０１は、データ処理部７００の表示データ処理部７０１からの指示に従って、液晶パネル駆動回路３０４での表示タイミングを制御するためのクロック信号および同期信号をタイミング制御信号（ＴＣ１）として出力している。
【０１７１】
また、表示制御部６０１は、バス制御部６０５から制御信号LCD_CTRLとして「表示命令Ａ」が出力されている期間に、データ信号（Ｄ）として「表示データＡ」を生成し、バス切替部６０６に出力する。一方、表示制御部６０１は、バス制御部６０５から制御信号LCD_CTRLとして「表示命令Ｂ」が出力されている期間には、データ信号（Ｄ）として「表示データＢ」を生成し、バス切替部６０６に出力する。
【０１７２】
次に、センサ制御部６０２は、データ処理部７００のセンサデータ処理部７０３からの指示に従って、光センサ駆動回路３０５での像の検知タイミングを制御するためのクロック信号およびセンサ制御信号をタイミング制御信号（ＴＣ２）として出力している。
【０１７３】
また、センサ制御部６０２は、バス制御部６０５から制御信号SC_CTRLとして「入力命令Ａ」が出力されている期間に、デジタル信号（ＤＳ）として「センサデータＡ」をバス切替部６０６から取得する。一方、センサ制御部６０２は、制御信号SC_CTRLとして「入力命令Ｂ」が出力されている期間には、デジタル信号（ＤＳ）として「センサデータＢ」をバス切替部６０６から取得する。
【０１７４】
次に、表示／光センサ部３００各種制御信号、各種セレクト信号、データ信号（Ｄ）およびデジタル信号（ＤＳ）の入出力タイミングについて説明する。
【０１７５】
第１表示／光センサ部３００Ａの液晶パネル駆動回路３０４Ａは、表示制御部６０１から出力されるタイミング制御信号（ＴＣ１）に従って、センサ内蔵液晶パネル３０１Ａにデータ信号（Ｄ）に基づく画像を表示させる。
【０１７６】
また、液晶パネル駆動回路３０４Ａは、バス制御部６０５からハイレベルのＬＣＤセレクト信号Ａが出力されている期間に、データ信号（Ｄ）として「表示データＡ」を取得する。一方、液晶パネル駆動回路３０４Ａは、バス制御部６０５からローレベルのＬＣＤセレクト信号Ｂが出力されている期間には、データ信号（Ｄ）としての「表示データＢ」と、デジタル信号（ＤＳ）としての「センサデータＡ」および「センサデータＢ」とがバス４００に出力されていても、これらの信号を無視する。すなわち、液晶パネル駆動回路３０４Ａは、ＬＣＤセレクト信号Ａがハイレベルの期間だけ、第１表示／光センサ部３００Ａに出力されるべき表示画像データである「表示データＡ」を取得するものである。
【０１７７】
次に、第２表示／光センサ部３００Ｂの液晶パネル駆動回路３０４Ｂは、表示制御部６０１から出力されるタイミング制御信号（ＴＣ１）に従って、センサ内蔵液晶パネル３０１Ｂにデータ信号（Ｄ）に基づく画像を表示させる。
【０１７８】
また、液晶パネル駆動回路３０４Ｂは、バス制御部６０５からハイレベルのＬＣＤセレクト信号Ｂが出力されている期間に、データ信号（Ｄ）として「表示データＢ」を取得する。一方、液晶パネル駆動回路３０４Ｂは、バス制御部６０５からローレベルのＬＣＤセレクト信号Ｂが出力されている期間には、データ信号（Ｄ）としての「表示データＡ」と、デジタル信号（ＤＳ）としての「センサデータＡ」および「センサデータＢ」とがバス４００に出力されていても、これらの信号を無視する。すなわち、液晶パネル駆動回路３０４Ｂは、ＬＣＤセレクト信号Ｂがハイレベルの期間だけ、第２表示／光センサ部３００Ｂに出力されるべき表示画像データである「表示データＢ」を取得するものである。
【０１７９】
次に、第１表示／光センサ部３００Ａの光センサ駆動回路３０５Ａおよび信号変換回路３０６Ａは、センサ制御部６０２から出力されるタイミング制御信号（ＴＣ２）に従って、センサ出力信号（ＳＳ）およびデジタル信号（ＤＳ）を生成する。
【０１８０】
また、光センサ駆動回路３０５Ａおよび信号変換回路３０６Ａは、バス制御部６０５からハイレベルのセンサセレクト信号Ａが出力されている期間に、デジタル信号（ＤＳ）として「センサデータＡ」をバス４００に出力する。
【０１８１】
一方、光センサ駆動回路３０５Ａおよび信号変換回路３０６Ａは、バス制御部６０５からローレベルのセンサセレクト信号Ａが出力されている期間には、当該液晶パネル駆動回路３０４Ａの出力端子（図示せず）をハイインピーダンス出力（状態）にする。これにより、光センサ駆動回路３０５Ａおよび信号変換回路３０６Ａは、センサセレクト信号Ａがローレベルの期間に、バス４００に出力されているデータ信号（Ｄ）としての「表示データＡ」、「表示データＢ」、または、デジタル信号（ＤＳ）としての「センサデータＢ」を取得することがない。
【０１８２】
すなわち、光センサ駆動回路３０５Ａおよび信号変換回路３０６Ａは、センサセレクト信号Ａがハイレベルの期間だけデジタル信号（ＤＳ）として「センサデータＡ」を出力し、ローレベルの期間に必要の無い信号を取得しない構成となっている。
【０１８３】
次に、第２表示／光センサ部３００Ｂの光センサ駆動回路３０５Ｂおよび信号変換回路３０６Ｂは、センサ制御部６０２から出力されるタイミング制御信号（ＴＣ２）に従って、センサ出力信号（ＳＳ）およびデジタル信号（ＤＳ）を生成する。
【０１８４】
また、光センサ駆動回路３０５Ｂおよび信号変換回路３０６Ｂは、バス制御部６０５からハイレベルのセンサセレクト信号Ｂが出力されている期間に、デジタル信号（ＤＳ）として「センサデータＢ」をバス４００に出力する。
【０１８５】
一方、光センサ駆動回路３０５Ｂおよび信号変換回路３０６Ｂは、バス制御部６０５からローレベルのセンサセレクト信号Ｂが出力されている期間には、当該液晶パネル駆動回路３０４Ｂの出力端子（図示せず）をハイインピーダンス出力（状態）にする。これにより、光センサ駆動回路３０５Ｂおよび信号変換回路３０６Ｂは、センサセレクト信号Ｂがローレベルの期間に、バス４００に出力されているデータ信号（Ｄ）としての「表示データＡ」、「表示データＢ」、または、デジタル信号（ＤＳ）としての「センサデータＡ」を取得することがない。
【０１８６】
すなわち、光センサ駆動回路３０５Ｂおよび信号変換回路３０６Ｂは、センサセレクト信号Ｂがハイレベルの期間だけデジタル信号（ＤＳ）として「センサデータＢ」を出力し、ローレベルの期間に必要の無い信号を取得しない構成となっている。
【０１８７】
このように、データ表示／センサ装置１００では、バス制御部６０５が、ＬＣＤセレクト信号Ａ、ＬＣＤセレクト信号Ｂ、センサセレクト信号Ａおよびセレクトセレクト信号Ｂを１フレーム周期毎に順次出力するのにあわせて、制御信号BUS_CTRL、LCD_CTRL、SC_CTRLを出力する動作が繰り返される。また、表示／光センサ部３００、表示制御部６０１、センサ制御部６０２およびバス切替部６０６は、上記セレクト信号および制御信号が出力（供給）されている期間、データ信号（Ｄ）またはデジタル信号（ＤＳ）を取得または無視（無効に）する。
【０１８８】
これにより、データ表示／センサ装置１００では、センサ内蔵液晶パネル３０１Ａ、Ｂにおけるデータ信号（Ｄ）またはデジタル信号（ＤＳ）の入出力を、１フレーム周期毎に変更することができるので、これら信号全てに対応するバスを必要としない。このため、データ表示／センサ装置１００では、上記信号の入出力に対してバス４００を共用することができる。
【０１８９】
すなわち、データ表示／センサ装置１００では、バス４００だけを用いて、液晶パネル駆動回路３０４Ａ、３０４Ｂがセンサ内蔵液晶パネル３０１Ａ、Ｂそれぞれに表示される画像のリフレッシュを適切に行うことができる。また、データ表示／センサ装置１００では、液晶パネル駆動回路３０４Ａ、３０４Ｂが休止モードの期間を利用することによって、バス４００だけを用いて、センサ内蔵液晶パネル３０１Ａ、Ｂが検知した像を示す信号（デジタル信号（ＤＳ））を回路制御部６００（主制御部８００側）に出力することができる。
【０１９０】
従って、データ表示／センサ装置１００では、１本の信号線により少なくとも４系統の通信を行うことができる。このため、データ表示／センサ装置１００では、複数の信号線を配線のための面積を削減することができる。
【０１９１】
（バスの共用について）
次に、図１１を参照しながら、バス４００に対する信号の入出力タイミングの様々な例について説明する。図１１は、バス４００に対する信号の様々な入出力タイミングを示すタイミングチャートである。
【０１９２】
ここでは、バス４００に対する信号の入出力タイミングおよび期間は、図１０に示す各種セレクト信号の出力タイミングおよび期間と同じであるものとする。なお、後述の図１１（ｂ）〜（ｄ）は、図１０に示すタイミングチャートとは異なっている。しかし、図１１（ｂ）〜（ｄ）に示す動作比率は、図１０に示す各種セレクト信号の入出力タイミングを調整し、この調整に伴って、他の信号のタイミングも変更されることによって実現される。
【０１９３】
まず、図１１（ａ）は、センサ内蔵液晶パネル３０１Ａ、３０１Ｂに、間欠駆動方式を用いて画像表示を行っている場合を示すタイミングチャートである。なお、図１１（ａ）では、センサ内蔵液晶パネル３０１Ａおよび３０１Ｂの何れにもユーザの入力操作が行われていない状態（タッチ待機状態）であるものとする。
【０１９４】
図示のように、センサ内蔵液晶パネル３０１Ａおよび３０１Ｂには、液晶パネル駆動回路３０４Ａおよび３０４Ｂの動作モードと休止モードとの動作比率が１：３である間欠駆動方式を用いて画像表示を行われている。すなわち、上述した図１０に示すタイミングチャートに従って、第１表示／光センサ部３００Ａ、３００Ｂおよび回路制御部６００が動作していることになる。
【０１９５】
この場合、ＬＣＤセレクト信号Ａがハイレベルの期間、図示のように、バス４００には「表示データＡ」が供給されている。すなわち、この期間では、「表示データＡ」がバス４００を占有していることとなる。
【０１９６】
また、同様に、ＬＣＤセレクト信号Ｂがハイレベルの期間、バス４００には「表示データＢ」が供給され、センサセレクト信号Ａがハイレベルの期間、バス４００には「センサデータＡ」が供給され、センサセレクト信号Ｂがハイレベルの期間、バス４００には「センサデータＢ」が供給されている。すなわち、それぞれの期間において、「表示データＢ」、「センサデータＡ」または「センサデータＢ」がバス４００を占有していることとなる。
【０１９７】
このように、データ表示／センサ装置１００では、データ表示／センサ装置１００では、上記データ信号（Ｄ）およびデジタル信号（ＤＳ）の入出力に対してバス４００を共用することができる。つまり、液晶パネル駆動回路３０４Ａ（表示Ａ）と、液晶パネル駆動回路３０４Ｂ（表示Ｂ）と、光センサ駆動回路３０５Ａおよび信号変換回路３０６Ａ（センサＡ）と、光センサ駆動回路３０５Ｂおよび信号変換回路３０６Ｂ（センサＢ）とが、それぞれ所定の１フレーム期間中にバス４００を占有することができる。
【０１９８】
次に、図１１（ｂ）は、センサ内蔵液晶パネル３０１Ａ、３０１Ｂに、間欠駆動方式を用いて画像表示を行っている場合の別例を示すタイミングチャートである。なお、図１１（ｂ）においても、センサ内蔵液晶パネル３０１Ａおよび３０１Ｂの何れにもユーザの入力操作が行われていない状態（タッチ待機状態）であるものとする。
【０１９９】
図示のように、センサ内蔵液晶パネル３０１Ａおよび３０１Ｂでは、液晶パネル駆動回路３０４Ａおよび３０４Ｂの動作比率が１：５である間欠駆動方式を用いて画像表示を行われている。すなわち、１フレーム周期分の動作モード（バス制御部６０５がハイレベルのＬＣＤセレクト信号ＡまたはＢを出力）後に、５フレーム周期分の休止モード（バス制御部６０５がローレベルのＬＣＤセレクト信号ＡまたはＢを出力）が続く間欠駆動方式の場合を例示している。
【０２００】
この場合も、図１１（ａ）と同様、各種セレクト信号のハイレベルの期間では、この期間に対応するデータ信号（Ｄ）またはデジタル信号（ＤＳ）がバス４００を占有している。
【０２０１】
ここで、休止モードの期間、新たな画像に切り替えるリフレッシュ動作を行わないので、液晶パネル駆動回路３０４を動作させておく必要がない。このため、動作比率において、休止モードの比率が動作モードの比率よりも大きくなると、液晶パネル駆動回路３０４は、その期間分だけ、当該液晶パネル駆動回路３０４の動作を停止させることができる。従って、データ表示／センサ装置１００では、休止モードの期間が長ければ長いほど、液晶パネル駆動回路３０４における消費電力をさらに低減させることができる。
【０２０２】
従って、動作比率が１：３の図１１（ａ）の場合と比較すると、図１１（ｂ）では、液晶パネル駆動回路３０４における消費電力をさらに低減させることができる。
【０２０３】
しかし、液晶パネル駆動回路３０４は、休止モードの期間が長くなると、その期間分だけリフレッシュ動作を行わないので、センサ内蔵液晶パネル３０１に動画を表示している場合には、その分ちらつきが多くなってしまう。このため、動作比率は、少なくともセンサ内蔵液晶パネル３０１がちらつき（フラッシュ）が生じない程度の表示精度を保つ程度に設定する必要がある。
【０２０４】
つまり、動作比率が１：３（図１１（ａ）の場合）と１：５（図１１（ｂ）の場合）とを比較すると、図１１（ａ）の場合の方が動画向き（すなわち、図１１（ｂ）の場合が静止画向き）と言える。当然ながら、動作比率が１：１の場合が、間欠駆動方式としては最も動画向きであると言える。
【０２０５】
また、図１１（ｂ）では、液晶パネル駆動回路３０４の動作比率を１：５とし、これにあわせて１フレーム周期分だけ、「センサデータＡ」および「センサデータＢ」がバス４００を占有する。すなわち、図１１（ｂ）では、バス４００がどの信号にも占有されない「空き」の時間ができる。図示のように、液晶パネル駆動回路３０４の動作比率が１：５の場合、２フレーム周期分の「空き」ができることになる。
【０２０６】
このため、図１１（ｂ）の場合には、データ表示／センサ装置１００は、例えば間欠駆動方式の表示／光センサ部３００をさらに設けることができる。
【０２０７】
次に、図１１（ｃ）は、図１１（ａ）に示す状態（液晶パネル駆動回路３０４の動作比率１：３）から、センサ内蔵液晶パネル３０１Ａが像を検知した（センサＡがタッチされた）場合を示すタイミングチャートである。なお、ここでは、センサ内蔵液晶パネル３０１Ａだけが像を検知した場合について説明するが、これに限らず、センサ内蔵液晶パネル３０１Ｂだけが像を検知してもよい。
【０２０８】
図示のように、センサ内蔵液晶パネル３０１Ａが像を検知するまでの液晶パネル駆動回路３０４の動作比率は１：３であり、液晶パネル駆動回路３０４が休止モードの期間には、各デジタル信号（ＤＳ）が順にバス４００を占有する（すなわち、図１１（ａ）の状態）。また、図示のように、センサ内蔵液晶パネル３０１Ａにおける像の検知（タッチ検出）が７フレーム目で生じており、９フレーム目から動作比率および像の検知頻度（検出頻度）が変更されている。
【０２０９】
センサ内蔵液晶パネル３０１Ａが像を検知すると、バス制御部６０５は、主制御部８００から送信されるタイミング指示信号に基づいて、その次の周期（この場合は９フレーム目）から液晶パネル駆動回路３０４Ａおよび３０４Ｂの動作比率を変更する。
【０２１０】
このとき、バス制御部６０５は、像を検知したセンサ内蔵液晶パネル３０１Ａの動作比率を１：３から１：１に変更し、像を検知していないセンサ内蔵液晶パネル３０１Ｂの動作比率を１：３から１：５に変更する。そして、バス制御部６０５は、これらの動作比率の変更に伴って、像の検知頻度をやや低くしてバス４００を占有できない期間を長くする。
【０２１１】
つまり、バス制御部６０５は、任意の６フレームにおいて、ハイレベルのＬＣＤセレクト信号Ａを３回出力する。すなわち、バス制御部６０５は、この６フレームのうち３フレームを、表示データＡがバス４００を占有するように、ＬＣＤセレクト信号Ａおよび各種制御信号を制御する。
【０２１２】
また、バス制御部６０５は、ローレベルのＬＣＤセレクト信号Ａを出力している間（液晶パネル駆動回路３０４Ａが休止モードの期間）に、ハイレベルのＬＣＤセレクト信号Ｂ、センサセレクト信号Ａおよびセンサセレクト信号Ｂを順次出力する。すなわち、バス制御部６０５は、表示データＡがバス４００を占有していない残りの３フレームを、表示データＢ、センサデータＡまたはセンサデータＢがバス４００を１フレームずつ占有するように、上記セレクト信号および各種制御信号を制御する。
【０２１３】
ここで、図９（ｂ）に示すように、データ表示／センサ装置１００では、センサ内蔵液晶パネル３０１ＡがペンＰなどの像を検知した場合には、その像の位置にあわせてカーソルＣを表示させる。そして、データ表示／センサ装置１００では、その後もペンＰの像を検知し続け、当該像の位置にあわせてカーソルＣを表示させる。すなわち、カーソルＣを表示させるようなデータ表示／センサ装置１００では、ユーザがセンサ内蔵液晶パネル３０１Ａ表面に沿ってペンＰを移動させた場合に、その移動にあわせて（ペンＰを追随するように）カーソルＣを表示させる。
【０２１４】
また、カーソルＣを表示させるような場合には、当該カーソルＣが表示されている画像が、例えばユーザの入力操作を取得可能な機能キーなどを含むことが多い。このため、データ表示／センサ装置１００では、カーソルＣの移動にあわせた画像を表示させることができるだけでなく、上記機能キーに対する選択操作または確定操作が行われたときにも画像を切り替える必要がある。すなわち、データ表示／センサ装置１００では、ユーザの操作性を損なわないために、カーソルＣを表示させるセンサ内蔵液晶パネル３０１のリフレッシュ動作を頻繁に行う必要がある。
【０２１５】
本発明に係るデータ表示／センサ装置１００では、センサ内蔵液晶パネル３０１Ａが像を検知した場合に、当該センサ内蔵液晶パネル３０１が配設された第１表示／光センサ部３００Ａにおけるデータ信号（Ｄ）の取得タイミングの切り替え動作を、所定のタイミングでの切り替え動作よりも速くしている。すなわち、データ表示／センサ装置１００では、センサ内蔵液晶パネル３０１Ａが像を検知すると、バス制御部６０５が各種セレクト信号を出力するタイミングを上記のように切り替えている。
【０２１６】
このため、データ表示／センサ装置１００では、当該センサ内蔵液晶パネル３０１Ａのリフレッシュ動作の頻度を高めることができるので、間欠駆動方式であっても、ユーザの操作性を損なうことがない。
【０２１７】
また、データ表示／センサ装置１００では、センサ内蔵液晶パネル３０１Ａが像を検知している間に像を検知しないセンサ内蔵液晶パネル３０１Ｂが配設された第２表示／光センサ部３００Ｂにおけるデータ信号（Ｄ）の取得タイミングの切り替え動作を遅くしている。
【０２１８】
このため、データ表示／センサ装置１００では、センサ内蔵液晶パネル３０１Ａが像を検知している間、第２表示／光センサ部３００Ｂにおけるリフレッシュ動作の頻度を少なくすることができる。これにより、データ表示／センサ装置１００では、第２表示／光センサ部３００Ｂの消費電力を低減させることができる。
【０２１９】
次に、図１１（ｄ）は、図１１（ａ）に示す状態（液晶パネル駆動回路３０４の動作比率１：３）から、センサ内蔵液晶パネル３０１Ａが像を検知した（センサＡがタッチされた）場合の別例を示すタイミングチャートである。
【０２２０】
図示のように、センサ内蔵液晶パネル３０１Ａが像を検知するまでの液晶パネル駆動回路３０４の動作比率は１：３であり、液晶パネル駆動回路３０４が休止モードの期間には、各デジタル信号（ＤＳ）が順にバス４００を占有する（すなわち、図１１（ａ）の状態）。また、図示のように、センサ内蔵液晶パネル３０１Ａにおける像の検知（タッチ検出）が７フレーム目で生じており、９フレーム目から動作比率および像の検知頻度（検出頻度）が変更されている。
【０２２１】
センサ内蔵液晶パネル３０１Ａが像を検知すると、バス制御部６０５は、主制御部８００から送信されるタイミング指示信号に基づいて、その次の周期（この場合は９フレーム目）から液晶パネル駆動回路３０４Ａの動作比率を変更する。
【０２２２】
このとき、バス制御部６０５は、像を検知したセンサ内蔵液晶パネル３０１Ａの動作比率を１：３から１：１に変更する。また、バス制御部６０５は、図１１（ｃ）の場合と異なり、像を検知していないセンサ内蔵液晶パネル３０１Ｂの動作比率を１：３のままに維持する。そして、バス制御部６０５は、これらの動作比率の変更に伴って、像の検知頻度をやや低くしてバス４００を占有できない期間を長くする。
【０２２３】
つまり、バス制御部６０５は、任意の４フレームにおいて、ハイレベルのＬＣＤセレクト信号Ａを２回出力する。すなわち、バス制御部６０５は、この４フレームのうち２フレームを表示データＡがバス４００を占有するように、ＬＣＤセレクト信号Ａおよび各種制御信号を制御する。
【０２２４】
また、バス制御部６０５は、ローレベルのＬＣＤセレクト信号Ａを出力している間（液晶パネル駆動回路３０４Ａが休止モードの期間）に、ハイレベルのＬＣＤセレクト信号Ｂと、センサセレクト信号Ａまたはセンサセレクト信号Ｂとを順次出力する。すなわち、バス制御部６０５は、表示データＡがバス４００を占有していない残りの２フレームのうち１フレームを、表示データＢがバス４００を占有するように、上記セレクト信号および各種制御信号を制御する。また、残りの１フレームを、センサデータＡまたはＢがバス４００を占有するように、上記セレクト信号および各種制御信号を制御する。つまり、図示のように、８フレームのうち１フレームを、センサデータＡまたはＢがバス４００を占有することとなる。
【０２２５】
この場合であっても、データ表示／センサ装置１００では、センサ内蔵液晶パネル３０１Ａが像を検知すると、バス制御部６０５が各種セレクト信号を出力するタイミングを上記のように切り替えている。このため、当該センサ内蔵液晶パネル３０１Ａのリフレッシュ動作の頻度を高めることができるので、間欠駆動方式であっても、ユーザの操作性を損なうことがない。
【０２２６】
なお、図１１（ｃ）および図１１（ｄ）では、像を検知したセンサ内蔵液晶パネル３０１Ａのリフレッシュ動作の頻度を高めるために、像を検知していないセンサ内蔵液晶パネル３０１Ｂのリフレッシュ動作の頻度を低くしている。通常、センサ内蔵液晶パネル３０１Ａに対して入力操作を行っている間、ユーザは、主にセンサ内蔵液晶パネル３０１Ａを注視することとなる。このため、データ表示／センサ装置１００は、センサ内蔵液晶パネル３０１Ｂのリフレッシュ動作を低くしても、ユーザの入力操作に影響を及ぼす可能性が低い。
【０２２７】
すなわち、ユーザの入力操作を取得していない場合における液晶パネル駆動回路３０４の動作比率は、表示／光センサ部３００が像の検知を行った後であっても、ちらつきが生じない程度の動作比率に変更できる程度に設定されていればよい。また、図１１（ｃ）の場合に、像を検知しないセンサ内蔵液晶パネル３０１Ｂには、液晶パネル駆動回路３０４Ｂの動作比率が１：５であってもちらつきを抑えることが可能な静止画を表示させることが好ましい。
【０２２８】
また、図１１（ｃ）および図１１（ｄ）では、センサ内蔵液晶パネル３０１Ａのリフレッシュ動作の頻度を高めるために、像の検知頻度を低くしている。通常、センサ内蔵液晶パネル３０１に表示される画像のちらつきを防ぐために、１フレーム期間は１０数ミリ秒となっている。これに対し、センサ内蔵液晶パネル３０１が像を検知するための検知間隔が０．５秒程度あっても、ユーザの操作性を損なうことはない。このため、データ表示／センサ装置１００では、センサ内蔵液晶パネル３０１が像の検知頻度を低くした場合であっても、ユーザの操作性を損なうことのない程度に像の検知を行うことができる。
【０２２９】
すなわち、像の検知間隔は、ユーザの入力操作を取得できる程度の検知間隔であれば、どのように設定／変更されてもよい。すなわち、図１１（ｄ）のように、像の検知頻度を図１１（ｃ）の場合よりも低くした場合であっても、８フレームのうち１フレームの割合で像を検知しているので、ユーザの操作性を損なうことはない。
【０２３０】
また、図１１（ｃ）および図１１（ｄ）では、ハイレベルのセンサセレクト信号Ａが出力されている期間に、センサ内蔵液晶パネル３０１Ａが検知しているものとして説明した。しかし、これに限らず、データ表示／センサ装置１００は、直前の、ローレベルのセンサセレクト信号Ａが出力されている期間に検知した像を示すデジタル信号（ＤＳ）を、上記ハイレベルのセンサセレクト信号Ａが出力されている期間に出力するように構成されていてもよい。
【０２３１】
さらに、データ表示／センサ装置１００は、センサ内蔵液晶パネル３０１Ａが像を検知しなくなった場合（ユーザの入力操作が終了した場合）には、最初の状態（図１１（ａ）に示す状態）に戻るように構成されていてもよい。
【０２３２】
（主制御部８００の構成および処理の流れ）
次に、図１２および図１３を参照しながら、主制御部８００の要部構成および処理の流れについて説明する。なお、ここでは、説明を分かりやすくするために、主制御部８００と表示／光センサ部３００との間に位置するデータ処理部７００および回路制御部６００の動作については説明を適宜省略する。ただし、正確には、主制御部８００の各部が、データ処理部７００にコマンドを送信し、データ処理部７００がコマンドに基づいて回路制御部６００を制御し、回路制御部６００が表示／光センサ部３００に対して信号を送信する。また、主制御部８００は、データ処理部７００に対して送信したコマンドに対する応答として、データ処理部７００から、全体画像データ、部分画像データ、および座標データを取得する。
【０２３３】
図１２は、主制御部８００の要部構成を示すブロック図である。図示のように、主制御部８００は、タイミング指示部８１０、検知判定部８２０および表示データ制御部８３０を備えている。
【０２３４】
タイミング指示部８１０は、記憶部９０１を参照することによって、バス制御部６０５から出力される各種セレクト信号のタイミングを指示するものである。このため、タイミング指示部８１０は、上記タイミングを指示するためのタイミング指示信号をバス制御部６０５に送信する。
【０２３５】
検知判定部８２０は、センサ内蔵液晶パネル３０１で像が検知されたか否かを判定するものである。また、検知判定部８２０は、どのセンサ内蔵液晶パネル３０１で像が検知されたかも判定する。検知判定部８２０は、センサ内蔵液晶パネル３０１にて像が検知されたと判定した場合には、判定結果として検知確認信号をタイミング指示部８１０および表示データ制御部８３０に送信する。
【０２３６】
表示データ制御部８３０は、記憶部９０１に格納されたアプリケーションプログラムおよび検知判定部８２０からの検知確認信号に従って、センサ内蔵液晶パネル３０１Ａおよび３０１Ｂに表示させる画像をそれぞれ生成するものである。表示データ制御部８３０は、生成した画像を表示データとして、センサ内蔵液晶パネル３０１Ａおよび３０１Ｂにそれぞれ送信する。
【０２３７】
なお、記憶部９０１には、主制御部８００で実行されるアプリケーションプログラムの他、液晶パネル駆動回路３０４Ａおよび３０４Ｂの動作比率と、これら動作比率に対応付けられた各種セレクト信号の出力タイミングとが格納されている。
【０２３８】
この動作比率は、センサ内蔵液晶パネル３０１が像を検知した後に変更可能なように数種類（例えば「１：１」、「１：３」、「１：５」）設定されている。このため、記憶部９０１には、各動作比率に対応して、各種セレクト信号の出力タイミングが格納されていることとなる。
【０２３９】
次に、図１３を参照しながら、主制御部８００の処理の流れについて説明する。図１３は、主制御部８００の処理の流れを示すフローチャートである。
【０２４０】
まず、タイミング指示部８１０は、バス制御部６０５に対して、所定のタイミングでの各種セレクト信号の出力を指示する（Ｓ１）。すなわち、タイミング指示部８１０は、記憶部９０１に格納された、液晶パネル駆動回路３０４Ａおよび３０４Ｂの動作比率と、これら動作比率に対応付けられた各種セレクト信号の出力タイミングとを読み出し、当該動作比率および出力タイミングをタイミング指示信号としてバス制御部６０５に送信する。
【０２４１】
バス制御部６０５は、上記タイミング指示信号を受信すると、当該タイミング指示信号の示す出力タイミングで各種セレクト信号を出力すると共に、各種セレクト信号の出力タイミングに基づいて、各種制御信号、データ信号（Ｄ）およびデジタル信号（ＤＳ）を出力する。
【０２４２】
また、表示データ制御部８３０は、記憶部９０１からアプリケーションプログラムを読み出して実行することにより、センサ内蔵液晶パネル３０１Ａおよび３０１Ｂに表示させるべき画像を、それぞれ表示データとしてデータ処理部７００に送信する。
【０２４３】
なお、表示データ制御部８３０は、２つの表示データのうち、センサ内蔵液晶パネル３０１Ａに表示させる表示データをデータ処理部７００に送信する際には、「表示パネル」フィールドの値として“第１表示／光センサ部３００Ａ”（“001”）を指定したコマンドを、データ処理部７００に送信する。一方、表示データ制御部８３０は、センサ内蔵液晶パネル３０１Ｂに表示させる表示データをデータ処理部７００に送信する際には、「表示パネル」フィールドの値として“第２表示／光センサ部３００Ｂ”（“010”）を指定したコマンドを、データ処理部７００に送信する。
【０２４４】
次に、検知判定部８２０は、センサ内蔵液晶パネル３０１Ａまたは３０１Ｂで像を検知したか（センスがあったか）否かを判定する（Ｓ２）。具体的には、検知判定部８２０は、センサ内蔵液晶パネル３０１にて像の検知があったときに、データ処理部７００から例えば部分画像データを取得する。すなわち、検知判定部８２０は、部分画像データを取得したときに、センサ内蔵液晶パネル３０１が像を検知したと判定する。
【０２４５】
なお、データ表示／センサ装置１００では、センサ内蔵液晶パネル３０１が像を検知できるように、センサ内蔵液晶パネル３０１をスキャン可能な状態にしておく必要がある。このため、検知判定部８２０は、Ｓ１の処理のとき（あるいはその前に）、「スキャン方式」フィールドの値として“反射”（“00”）、“透過”（“01”）、“反射／透過”（“10”）のいずれか、「スキャン画像階調」フィールドの値として“２値”（“00”）、“多値”（“01”）のいずれか、「スキャン解像度」フィールドの値として“２値”（“00”）、“多値”（“01”）のいずれか、「スキャンパネル」フィールドの値として“第１表示／光センサ部”（“001”）および“第２表示／光センサ部”（“010”）を指定したコマンドを、データ処理部７００に送信する。
【０２４６】
また、検知判定部８２０は、センサ内蔵液晶パネル３０１Ａまたは３０１Ｂで像を検知したか否かを判定するために、センサ内蔵液晶パネル３０１上で変化があったときの全体画像データを、データ処理部７００から取得する。このため、検知判定部８２０は、例えば「データ取得タイミング」フィールドの値として“イベント”（“01”）、「データ種別」フィールドの値として“部分画像”（“010”）を指定したコマンドを、データ処理部７００に送信する。
【０２４７】
なお、検知判定部８２０は、この部分画像データを取得する際には、センサ内蔵液晶パネル３０１Ａおよび３０１Ｂの何れが検知したかを示す情報として、例えば部分画像の代表座標（部分画像における座標）を用いるものとする。これにより、検知判定部８２０は、上記代表座標の値を取得することによって、どちらのセンサ内蔵液晶パネル３０１で検知された像を含む部分画像データであるのかを認識することができる。
【０２４８】
検知判定部８２０は、センサ内蔵液晶パネル３０１Ａまたは３０１Ｂで像を検知したと判定した場合（Ｓ２でＹＥＳ）、センサ内蔵液晶パネル３０１Ａおよび３０１Ｂの何れかによる像の検知を確認したことを示す検知確認信号を、タイミング指示部８１０および表示データ制御部８３０に送信する。なお、Ｓ２でＮＯの場合には、検知判定部８２０は、データ処理部７００から送信される部分画像データを待つ。
【０２４９】
タイミング指示部８１０は、上記検知確認信号を受信すると、センサ内蔵液晶パネル３０１のどちらで像が検出されたかを確認する。そして、タイミング指示部８１０は、記憶部９０１から、像が検知されたセンサ内蔵液晶パネル３０１のリフレッシュ動作の頻度が高く設定されている動作頻度と、当該動作頻度に対応付けられた各種セレクト信号の出力タイミングとを読み出し、当該動作比率および出力タイミングを新たなタイミング指示信号として決定する。すなわち、タイミング指示部８１０は、各種セレクト信号の出力タイミングを、上記読み出した出力タイミングに決定する（Ｓ３）。
【０２５０】
タイミング指示部８１０は、出力タイミングを決定すると、バス制御部６０５に対して、決定したタイミングでの各種セレクト信号の出力を指示する（Ｓ４）。すなわち、タイミング指示部８１０は、Ｓ３にて決定したタイミング指示信号をバス制御部６０５に送信する。
【０２５１】
バス制御部６０５は、上記タイミング指示信号を受信すると、当該タイミング指示信号の示す出力タイミングに変更して各種セレクト信号を出力すると共に、各種セレクト信号の出力タイミングに基づいて、各種制御信号、データ信号（Ｄ）およびデジタル信号（ＤＳ）を出力する。
【０２５２】
また、表示データ制御部８３０は、Ｓ２でＹＥＳの場合に、上記検知確認信号を受信すると、センサ内蔵液晶パネル３０１のどちらで像が検出されたかを確認する。そして、表示データ制御部８３０は、アプリケーションプログラムを読み出して、センサ内蔵液晶パネル３０１それぞれに表示させるべき画像を、それぞれ表示データとしてデータ処理部７００に送信する。
【０２５３】
センサ内蔵液晶パネル３０１Ａが像を検知した場合には、表示データ制御部８３０は、例えば当該センサ内蔵液晶パネル３０１Ａに、カーソルＣ、機能キーなどを含む画像を送信する。
【０２５４】
（補足）
最後に、本実施形態に係るデータ表示／センサ装置１００の各ブロック、特に主制御部８００のタイミング指示部８１０、検知判定部８２０および表示データ制御部８３０は、ハードウェアロジックによって構成してもよいし、次のようにＣＰＵを用いてソフトウェアによって実現してもよい。
【０２５５】
すなわち、本実施形態に係るデータ表示／センサ装置１００は、各機能を実現する制御プログラムの命令を実行するＣＰＵ（Central Processing Unit）、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるデータ表示／センサ装置１００の制御プログラムのプログラムコード（実行形式プログラム、中間コードプログラム、ソースプログラム）をコンピュータで読み取り可能に記録した記録媒体を、上記データ表示／センサ装置１００に供給し、そのコンピュータ（またはＣＰＵやＭＰＵ）が記録媒体に記録されているプログラムコードを読み出し実行することによっても、達成可能である。
【０２５６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２５７】
また、本実施形態に係るデータ表示／センサ装置１００を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２５８】
また、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２５９】
例えば、上記実施形態では、本発明をセンサ内蔵液晶パネル３０１に適用しているが、これに限らず、デスクトップ型ＰＣ（Personal Computer）などの電子機器に本発明を適用してもよい。また、上記実施形態では、ＬＣＤを備えた画像表示システムに適用しているが、ＰＤＰ、ＥＬディスプレイ、ＦＥＤなど、その他のＦＰＤを備えた画像表示システムに適用することもできる。
【産業上の利用可能性】
【０２６０】
以上のように、本発明は、間欠駆動方式の表示部と像を検知する像検知部が配設された部材を備えた像検知／表示装置に特に好適である。
【図面の簡単な説明】
【０２６１】
【図１】本発明の一実施形態に係るデータ表示／センサ装置の表示／光センサ部および回路制御部の要部構成を示すブロック図である。
【図２】本発明の一実施形態に係るデータ表示／センサ装置が備えるセンサ内蔵液晶パネルの断面を模式的に示す図である。
【図３】図３（ａ）は、本発明の一実施形態に係るデータ表示／センサ装置が備えるセンサ内蔵液晶パネルにて反射像を検知することにより、ユーザがタッチした位置を検出する様子を示す模式図である。図３（ｂ）は、本発明の一実施形態に係るデータ表示／センサ装置が備えるセンサ内蔵液晶パネルにて影像を検知することにより、ユーザがタッチした位置を検出する様子を示す模式図である。
【図４】本発明の一実施形態に係るデータ表示／センサ装置の要部構成を示すブロック図である。
【図５】本発明の一実施形態に係るデータ表示／センサ装置で用いられるコマンドのフレーム構造の一例を模式的に示す図である。
【図６】図５に示したコマンドに含まれる各フィールドに指定可能な値の一例、および、その概要を説明する図である。
【図７】図７（ａ）は、本発明の一実施形態に係るデータ表示／センサ装置にて、対象物がセンサ内蔵液晶パネル上に置かれていないときに、センサ内蔵液晶パネル全体をスキャンした結果として得られる画像データである。図７（ｂ）は、本発明の一実施形態に係るデータ表示／センサ装置にて、ユーザが指でセンサ内蔵液晶パネルをタッチしているときに、スキャンした結果として得られる画像データである。
【図８】本発明の一実施形態に係るデータ表示／センサ装置が備えるセンサ内蔵液晶パネルの構成およびその周辺回路の構成を示すブロック図である。
【図９】図９（ａ）は、本発明の一実施形態に係るデータ表示／センサ装置の筐体を閉じた様子を示す図である。図９（ｂ）は、本発明の一実施形態に係るデータ表示／センサ装置の筐体を開いた様子を示す図である。
【図１０】本発明の一実施形態に係るデータ表示／センサ装置における、バス制御部から出力される制御信号およびセレクト信号、並びに、表示制御部と、センサ制御部と、液晶パネル駆動回路と、光センサ駆動回路と、信号変換回路に入出力される制御信号、セレクト信号、データ信号およびデジタル信号の関係を示すタイミングチャートである。
【図１１】図１１（ａ）は、本発明の一実施形態に係るデータ表示／センサ装置のセンサ内蔵液晶パネルに、間欠駆動方式を用いて画像表示を行っている場合を示すタイミングチャートである。図１１（ｂ）は、本発明の一実施形態に係るデータ表示／センサ装置のセンサ内蔵液晶パネルに、間欠駆動方式を用いて画像表示を行っている場合の別例を示すタイミングチャートである。図１１（ｃ）は、図１１（ａ）に示す状態から、本発明の一実施形態に係るデータ表示／センサ装置のセンサ内蔵液晶パネルが像を検知した場合を示すタイミングチャートである。図１１（ｄ）は、図１１（ａ）に示す状態から、本発明の一実施形態に係るデータ表示／センサ装置のセンサ内蔵液晶パネルが像を検知した場合の別例を示すタイミングチャートである。
【図１２】本発明の一実施形態に係るデータ表示／センサ装置の主制御部の要部構成を示すブロック図である。
【図１３】図１２に示す主制御部の処理の流れを示すフローチャートである。
【符号の説明】
【０２６２】
１００  データ表示／センサ装置（像検知／表示装置）
３００  表示／光センサ部（面状部材）
３０１  センサ内蔵液晶パネル（表示部、像検知部）
３０４  液晶パネル駆動回路（表示部）
３０５  光センサ駆動回路（像検知部）
３０６  信号変換回路（像検知部）
４００  信号線（バス）
６００  回路制御部（動作制御部）
６０５  バス制御部（タイミング制御部）
６０６  バス切替部（信号線切替部）
【図１】
2010108303.tif 000003
【図２】
2010108303.tif 000004
【図３】
2010108303.tif 000005
【図４】
2010108303.tif 000006
【図５】
2010108303.tif 000007
【図６】
2010108303.tif 000008
【図７】
2010108303.tif 000009
【図８】
2010108303.tif 000010
【図９】
2010108303.tif 000011
【図１０】
2010108303.tif 000012
【図１１】
2010108303.tif 000013
【図１２】
2010108303.tif 000014
【図１３】
2010108303.tif 000015